(57)【要約】  本願は同期信号ブロックのタイミング方法及び関連製品を提供し、前記方法は、ユーザーデバイスがネットワークデバイスにより送信された同期信号ブロック（ＳＳ  ｂｌｏｃｋ）のタイミング情報を受信することと、前記ユーザーデバイスが前記ＳＳ  ｂｌｏｃｋのタイミング情報に基づいてＳＳ  ｂｌｏｃｋのタイミングを確定することとを含む。本願の実施例は、ＳＳ  ｂｌｏｃｋの正確的なタイミングを取得することができる。
2020519189.tif 000002
【特許請求の範囲】
【請求項１】
ユーザーデバイスがネットワークデバイスにより送信された同期信号ブロック（ＳＳ  ｂｌｏｃｋ）のタイミング情報を受信することと、
前記ユーザーデバイスが前記ＳＳ  ｂｌｏｃｋのタイミング情報に基づいてＳＳ  ｂｌｏｃｋのタイミングを確定することとを含む
ことを特徴とする同期信号ブロックのタイミング方法。
【請求項２】
前記ＳＳ  ｂｌｏｃｋのタイミング情報は、
前記ＳＳ  ｂｌｏｃｋが使用する構成方式、
前記ＳＳ  ｂｌｏｃｋのインデックス（ｉｎｄｅｘ）、
前記ＳＳ  ｂｌｏｃｋの所属する同期信号伝送セット（ＳＳ  ｂｕｒｓｔ  ｓｅｔ）での所在の時間領域位置、
時間領域において隣接する２つのＳＳ  ｂｌｏｃｋの距離のうちの少なくとも１つを含む
ことを特徴とする請求項１に記載の同期信号ブロックのタイミング方法。
【請求項３】
前記ＳＳ  ｂｌｏｃｋが使用する構成方式は、予め約定されたものである
ことを特徴とする請求項２に記載の同期信号ブロックのタイミング方法。
【請求項４】
前記ＳＳ  ｂｌｏｃｋが使用する構成方式は、前記ＳＳ  ｂｌｏｃｋの所属するＳＳ  ｂｕｒｓｔ  ｓｅｔの時間領域での位置関係である
ことを特徴とする請求項２又は３に記載の同期信号ブロックのタイミング方法。
【請求項５】
前記ＳＳ  ｂｌｏｃｋのタイミング情報は、前記ＳＳ  ｂｌｏｃｋの所属するＳＳ  ｂｕｒｓｔ  ｓｅｔでの所在の時間領域位置を含む場合、さらに、前記ＳＳ  ｂｌｏｃｋの所在のフレーム番号、又は、前記ＳＳ  ｂｌｏｃｋの所在のシンボル（ｓｙｍｂｏｌ）の時間領域位置を含む
ことを特徴とする請求項２に記載の同期信号ブロックのタイミング方法。
【請求項６】
前記ＳＳ  ｂｌｏｃｋの所在のｓｙｍｂｏｌ時間領域位置は、前記ＳＳ  ｂｌｏｃｋ開始位置の所在のｓｙｍｂｏｌの時間領域位置、及び／又は、前記ＳＳ  ｂｌｏｃｋ終了位置の所在のｓｙｍｂｏｌの時間領域位置を定義するために用いられる
ことを特徴とする請求項５に記載の同期信号ブロックのタイミング方法。
【請求項７】
前記ＳＳ  ｂｌｏｃｋの所在のフレーム番号は、前記ＳＳ  ｂｌｏｃｋ開始位置の所在のフレーム番号、及び／又は、前記ＳＳ  ｂｌｏｃｋ終了位置の所在のフレーム番号を定義するために用いられる
ことを特徴とする請求項５に記載の同期信号ブロックのタイミング方法。
【請求項８】
前記ＳＳ  ｂｌｏｃｋのタイミング情報は、前記ネットワークデバイスが物理ブロードキャストチャネル（ＰＢＣＨ）及び／又は最小システム情報（ｍｉｎｉｍａｌ  ＳＩ）において提供したのもである
ことを特徴とする請求項１〜７のいずれか１項に記載の同期信号ブロックのタイミング方法。
【請求項９】
ネットワークデバイスがユーザーデバイスに同期信号ブロック（ＳＳ  ｂｌｏｃｋ）のタイミング情報を送信することを含み、前記ＳＳ  ｂｌｏｃｋのタイミング情報は、前記ユーザーデバイスがＳＳ  ｂｌｏｃｋのタイミングを確定するために用いられる
ことを特徴とする同期信号ブロックのタイミング方法。
【請求項１０】
前記ＳＳ  ｂｌｏｃｋのタイミング情報は、
前記ＳＳ  ｂｌｏｃｋが使用する構成方式、
前記ＳＳ  ｂｌｏｃｋのインデックス（ｉｎｄｅｘ）、
前記ＳＳ  ｂｌｏｃｋの所属する同期信号伝送セット（ＳＳ  ｂｕｒｓｔ  ｓｅｔ）での所在の時間領域位置、
時間領域において隣接する２つのＳＳ  ｂｌｏｃｋの距離のうちの少なくとも１つを含む
ことを特徴とする請求項９に記載の同期信号ブロックのタイミング方法。
【請求項１１】
前記ＳＳ  ｂｌｏｃｋが使用する構成方は、予め約定されたものである
ことを特徴とする請求項１０に記載の同期信号ブロックのタイミング方法。
【請求項１２】
前記ＳＳ  ｂｌｏｃｋが使用する構成方式は、前記ＳＳ  ｂｌｏｃｋの所属するＳＳ  ｂｕｒｓｔ  ｓｅｔの時間領域での位置関係である
ことを特徴とする請求項１０又は１１に記載の同期信号ブロックのタイミング方法。
【請求項１３】
前記ＳＳ  ｂｌｏｃｋのタイミング情報は、前記ＳＳ  ｂｌｏｃｋの所属するＳＳ  ｂｕｒｓｔ  ｓｅｔでの所在の時間領域位置を含む場合、さらに、前記ＳＳ  ｂｌｏｃｋの所在のフレーム番号、又は、前記ＳＳ  ｂｌｏｃｋの所在のシンボル（ｓｙｍｂｏｌ）の時間領域位置を含む
ことを特徴とする請求項１０に記載の同期信号ブロックのタイミング方法。
【請求項１４】
前記ＳＳ  ｂｌｏｃｋの所在のｓｙｍｂｏｌ時間領域位置は、前記ＳＳ  ｂｌｏｃｋ開始位置の所在のｓｙｍｂｏｌの時間領域位置、及び／又は、前記ＳＳ  ｂｌｏｃｋ終了位置の所在のｓｙｍｂｏｌの時間領域位置を定義するために用いられる
ことを特徴とする請求項１３に記載の同期信号ブロックのタイミング方法。
【請求項１５】
前記ＳＳ  ｂｌｏｃｋの所在のフレーム番号は、前記ＳＳ  ｂｌｏｃｋ開始位置の所在のフレーム番号、及び／又は、前記ＳＳ  ｂｌｏｃｋ終了位置の所在のフレーム番号を定義するために用いられる
ことを特徴とする請求項１３に記載の同期信号ブロックのタイミング方法。
【請求項１６】
前記ＳＳ  ｂｌｏｃｋのタイミング情報は、前記ネットワークデバイスが物理ブロードキャストチャネル（ＰＢＣＨ）及び／又は最小システム情報（ｍｉｎｉｍａｌ  ＳＩ）において提供したのもである
ことを特徴とする請求項９〜１５のいずれか１項に記載の同期信号ブロックのタイミング方法。
【請求項１７】
処理ユニット及び通信ユニットを含み、
前記処理ユニットは、前記通信ユニットを利用してネットワークデバイスにより送信された同期信号ブロック（ＳＳ  ｂｌｏｃｋ）のタイミング情報を受信するように構成され、
前記処理ユニットは、さらに、前記ＳＳ  ｂｌｏｃｋのタイミング情報に基づいてＳＳ  ｂｌｏｃｋのタイミングを確定するように構成される
ことを特徴とするユーザーデバイス。
【請求項１８】
処理ユニット及び通信ユニットを含み、
前記処理ユニットは、前記通信ユニットを利用してユーザーデバイスに同期信号ブロック（ＳＳ  ｂｌｏｃｋ）のタイミング情報を送信するように構成され、
前記ＳＳ  ｂｌｏｃｋのタイミング情報は、前記ユーザーデバイスがＳＳ  ｂｌｏｃｋのタイミングを確定するために用いられる
ことを特徴とするネットワークデバイス。
【請求項１９】
１つ以上のプロセッサ、１つ以上のメモリ、１つ以上の送受信機、及び１つ以上のプログラムを含み、
前記１つ以上のプログラムが前記メモリに記憶され、前記１つ以上のプロセッサにより実行され、
前記プログラムは、請求項１〜８のいずれか１項に記載の方法のステップを実行する命令を含む
ことを特徴とするユーザーデバイス。
【請求項２０】
１つ以上のプロセッサ、１つ以上のメモリ、１つ以上の送受信機、及び１つ以上のプログラムを含み、
前記１つ以上のプログラムが前記メモリに記憶され、前記１つ以上のプロセッサにより実行され、
前記プログラムは、請求項９〜１６のいずれか１項に記載の方法のステップを実行する命令を含む
ことを特徴とするネットワークデバイス。
【請求項２１】
電子データ交換のためのコンピュータープログラムが記憶されるコンピューター読み取り可能な記憶媒体であって、
前記コンピュータープログラムによりコンピューターが請求項１〜８のいずれか１項に記載の方法を実行する
ことを特徴とするコンピューター読み取り可能な記憶媒体。
【請求項２２】
電子データ交換のためのコンピュータープログラムが記憶されるコンピューター読み取り可能な記憶媒体であって、
前記コンピュータープログラムによりコンピューターが請求項９〜１６のいずれか１項に記載の方法を実行する
ことを特徴とするコンピューター読み取り可能な記憶媒体。
【請求項２３】
請求項１〜８のいずれか一項に記載の方法をコンピュータに実行させるように動作可能なコンピュータプログラムを記憶した非一時的コンピュータ可読記憶媒体を備える
ことを特徴とするコンピュータプログラム製品。
【請求項２４】
請求項９〜１６のいずれか一項に記載の方法をコンピュータに実行させるように動作可能なコンピュータプログラムを記憶した非一時的コンピュータ可読記憶媒体を備える
ことを特徴とするコンピュータプログラム製品。
【発明の詳細な説明】
【技術分野】
【０００１】
本願は通信技術分野に関し、特に、同期信号ブロックのタイミング方法及び関連製品に関する。
【背景技術】
【０００２】
同期信号は、同期処理を必要とする設備機器に同じ時間基準を与える信号である。新空ポート(Ｎｅｗ Ｒａｔｉｏ：ＮＲ)／５ＧのＭｕｌｔｉ−ｂｅａｍシステムは、異なるビームによってセル全体をカバーする。各ｂｅａｍは、１つの同期信号ブロック(ＳＳ  ｂｌｏｃｋ)に対応し、ＳＳ  ｂｌｏｃｋは、少なくとも一次同期信号(Ｐｒｉｍａｒｙ Ｓｙｎｃｈｒｏｎｉｚａｔｉｏｎ Ｓｉｇｎａｌ：ＰＳＳ)、二次同期信号(Ｓｅｃｏｎｄａｒｙ Ｓｙｎｃｈｒｏｎｉｚａｔｉｏｎ Ｓｉｇｎａｌ：ＳＳＳ)、および復調のための復調基準信号(ＤＭＲＳ)を含む物理ブロードキャストチャネル(Ｐｈｙｓｉｃａｌ Ｂｒｏａｄｃａｓｔ Ｃｈａｎｎｅｌ：ＰＢＣＨ)を含む。
【０００３】
現在、ＮＲの検討において、ＳＳ  ＢＬＯＣＫインデックスはＰＢＣＨ内で搬送され、ユーザーデバイス（Ｕｓｅｒ Ｅｑｕｉｐｍｅｎｔ:ＵＥ）は、１つのＳＳ  ＢＬＯＣＫを検出し、ＰＢＣＨを成功に復調した後、ＳＳ  ＢＬＯＣＫのｉｎｄｅｘを取得することができる。しかしながら、あるシーンにおいて、ＵＥは、ＳＳ  ＢＬＯＣＫのｉｎｄｅｘを知っていても、ＳＳ  ＢＬＯＣＫのシンボル（ｓｙｍｂｏｌ）レベルのタイミング及びサブフレーム(ＳＦ)レベルのタイミングを知らない可能性がある。ｓｙｍｂｏｌレベル及びＳＦレベルのような正確なタイミングを取得することは、ＵＥがセルを検索する最初のステップであるため、ＵＥがＳＳ  ＢＬＯＣＫの正確なタイミングをどのように取得するかは、解決すべき技術的課題である。
【発明の概要】
【０００４】
本願の実施例は、ＳＳ  ｂｌｏｃｋの正確的なタイミングを取得することができる同期信号ブロックのタイミング方法及び関連製品を提供する。
【０００５】
第１の形態として、本願の実施例は、同期信号ブロックのタイミング方法を提供し、
ユーザーデバイスがネットワークデバイスにより送信された同期信号ブロック（ＳＳ  ｂｌｏｃｋ）のタイミング情報を受信することと、
前記ユーザーデバイスが前記ＳＳ  ｂｌｏｃｋのタイミング情報に基づいてＳＳ  ｂｌｏｃｋのタイミングを確定することとを含む。
【０００６】
第２の形態として、本願の実施例は、同期信号ブロックのタイミング方法を提供し、
ネットワークデバイスがユーザーデバイスに同期信号ブロック（ＳＳ  ｂｌｏｃｋ）のタイミング情報を送信することを含み、前記ＳＳ  ｂｌｏｃｋのタイミング情報は、前記ユーザーデバイスがＳＳ  ｂｌｏｃｋのタイミングを確定するために用いられる。
【０００７】
第３の形態として、本願の実施例は、ユーザーデバイスを提供し、処理ユニット及び通信ユニットを含み、
前記処理ユニットは、前記通信ユニットを利用してネットワークデバイスにより送信された同期信号ブロック（ＳＳ  ｂｌｏｃｋ）のタイミング情報を受信するように構成され、
前記処理ユニットは、さらに、前記ＳＳ  ｂｌｏｃｋのタイミング情報に基づいてＳＳ  ｂｌｏｃｋのタイミングを確定するように構成される。
【０００８】
第４の形態として、本願の実施例は、ネットワークデバイスを提供し、処理ユニット及び通信ユニットを含み、
前記処理ユニットは、前記通信ユニットを利用してユーザーデバイスに同期信号ブロック（ＳＳ  ｂｌｏｃｋ）のタイミング情報を送信するように構成され、前記ＳＳ  ｂｌｏｃｋのタイミング情報は、前記ユーザーデバイスがＳＳ  ｂｌｏｃｋのタイミングを確定するために用いられる。
【０００９】
第５の形態として、本願の実施例はユーザーデバイスを提供し、１つ以上のプロセッサ、１つ以上のメモリ、１つ以上の送受信機、及び１つ以上のプログラムを含み、前記１つ以上のプログラムが前記メモリに記憶され、前記１つ以上のプロセッサにより実行され、前記プログラムは、第１の形態に前記の方法のステップを実行する命令を含む。
【００１０】
第６の形態として、本願の実施例は、ネットワークデバイスを提供し、１つ以上のプロセッサ、１つ以上のメモリ、１つ以上の送受信機、及び１つ以上のプログラムを含み、前記１つ以上のプログラムが前記メモリに記憶され、前記１つ以上のプロセッサにより実行され、前記プログラムは、第２の形態に前記の方法のステップを実行する命令を含む。
【００１１】
第７の形態として、本願の実施例は、コンピューター読み取り可能な記憶媒体を提供し、電子データ交換のためのコンピュータープログラムが記憶され、ここで、前記コンピュータープログラムによりコンピューターが第１の形態に前記の方法を実行する。
【００１２】
第８の形態として、本願の実施例は、コンピューター読み取り可能な記憶媒体を提供し、電子データ交換のためのコンピュータープログラムが記憶され、ここで、前記コンピュータープログラムによりコンピューターが第２の形態に前記の方法を実行する。
【００１３】
第９の形態として、本願の実施例は、第１の形態に記載の方法をコンピュータに実行させるように動作可能なコンピュータプログラムを記憶した非一時的コンピュータ可読記憶媒体を備えるコンピュータプログラム製品を提供する。
【００１４】
第１０形態として、本願の実施例は、第２の形態に記載の方法をコンピュータに実行させるように動作可能なコンピュータプログラムを記憶した非一時的コンピュータ可読記憶媒体を備えるコンピュータプログラム製品を提供する。
【００１５】
本願に係る発明において、ユーザーデバイスがネットワークデバイスにより送信されたタイミング情報に基づいてＳＳ  ｂｌｏｃｋのタイミングを設定するため、従来の技術においてＳＳ  ｂｌｏｃｋ  ｉｎｄｅｘのみに基づいてＳＳ  ｂｌｏｃｋのタイミングを設定することと比べ、本願に係る技術案は、ＳＳ  ｂｌｏｃｋのさらに正確的なタイミングを取得することができる。
【００１６】
本開示のこれらの態様または他の態様は、以下の実施例の説明においてより容易に理解されるであろう。
【図面の簡単な説明】
【００１７】
本開示の上記および他の特徴およびメリットは、添付の図面を参照して詳細に説明する例示的な実施例により、より明らかになる。なお、以下の記載における図面はただ本発明の一部の実施例に過ぎず、当業者の場合、創造的な労働を付与しない前提で、これらの図面によって他の図面を得ることができる。
【図１】本願の実施例におけるネットワークフレームワークの模式図である。
【図２ａ】本願の実施例における同期信号ブロックのタイミング方法のフローチャートである。
【図２ｂ】本願の実施例におけるＳＳ  ｂｌｏｃｋの構成方式の模式図である。
【図２ｃ】本願の実施例におけるＳＳ  ｂｕｒｓｔ  ｓｅｔの模式図である。
【図３】本願の実施例におけるユーザーデバイスの構成図である。
【図４】本願の実施例におけるネットワークデバイスの構成図である。
【図５】本願の実施例における他のユーザーデバイスの構成図である。
【図６】本願の実施例における他のネットワークデバイスの構成図である。
【図７】本願の実施例における他のユーザーデバイスの構成図である。
【発明を実施するための形態】
【００１８】
本出願の実施例を当業者により良く理解するために、以下に、本出願の実施例における技術的解決策を、本出願の実施例における図面との関連で、明確かつ完全に説明するが、記載される実施例は、本出願の一部の実施例にすぎず、全ての実施例ではないことを理解されたい。本出願における実施例に基づいて、当業者が創造的な労働をすることなく得られる全ての他の実施例は、本出願の保護範囲に属するものとする。
【００１９】
以下、それぞれについて詳細に説明する。
【００２０】
本出願の明細書及び特許請求の範囲、並びに添付図面における用語「第１」、「第２」、「第３」、及び「第４」などは、異なる対象を区別するために使用され、特定の順序を説明するために使用されない。さらに、「含む」及び「有する」という用語、並びにそれらの任意の変形は、排他的な包含を含まないことが意図される。例えば、一連のステップまたはユニットを含むプロセス、方法、システム、製品または装置は、記載されたステップまたはユニットに限定されず、記載されていないステップまたはユニットを任意に含むこと、または、そのようなプロセス、方法、製品または装置に固有の他のステップまたはユニットを任意に含むこともできる。
【００２１】
本明細書における「実施例」への言及は、実施例に関連して説明される特定の特徴、構造、または特性が、本開示の少なくとも１つの実施例に含まれ得ることを意味する。本明細書の様々な箇所でのこの語句の出現は、必ずしも全てが同じ実施例を指すものではなく、他の実施例と排他的である別個の又は代替の実施例でもない。当業者は、明示的及び暗黙的に、本明細書に記載の実施例を他の実施例と組み合わせることができることを理解する。
【００２２】
以下、本発明の実施例を図面に基づいて説明する。
【００２３】
図１は、本願の実施例に開示されたネットワークフレームワークの概略図である。図１に示すネットワークアーキテクチャは、ネットワークデバイス１１０と、ユーザーデバイス１２０とを含む。ネットワークデバイス１１０は、ＳＳ  ＢＬＯＣＫのタイミング情報をユーザーデバイス１２０に送信し、ユーザーデバイス１２０は、ネットワークデバイス１１０が送信したＳＳ  ＢＬＯＣＫのタイミング情報を受信すると、ＳＳ  ＢＬＯＣＫのタイミング情報に基づいてＳＳ  ＢＬＯＣＫのタイミングを決定する。このように、ネットワークデバイスが送信するタイミング情報に基づいてＳＳ  ＢＬＯＣＫのタイミングを設定することで、従来技術においてＳＳ  ＢＬＯＣＫのタイミングをＳＳ  ＢＬＯＣＫ  ｉｎｄｅｘのみで設定するよりもＳＳ  ＢＬＯＣＫの正確なタイミングを設定することが可能となる。
【００２４】
ここで、ユーザーデバイス(Ｕｓｅｒ Ｅｑｕｉｐｍｅｎｔ：ＵＥ )は、ユーザに音声及び/又はデータ通信性を提供するデバイスであり、例えば、無線接続機能を有するハンドヘルド機器、車載機器などである。一般的なユーザーデバイスには、例えば、携帯電話、タブレット、ラップトップ、パームトップ、モバイルインターネット機器( ｍｏｂｉｌｅ ｉｎｔｅｒｎｅｔ ｄｅｖｉｃｅ：ＭＩＤ )、ウェアラブル機器、例えば、スマートウォッチ、スマートブレスレット、歩数計などが含まれる。
【００２５】
ここで、ネットワークデバイスは、ネットワーク側のノードデバイスであり、例えば、ネットワークデバイスは、セルラーネットワークにおけるアクセスネットワーク側の無線アクセスネットワーク( Ｒａｄｉｏ Ａｃｃｅｓｓ Ｎｅｔｗｏｒｋ：ＲＡＮ )デバイスであってもよく、ＲＡＮデバイスは、ユーザーデバイスを無線ネットワークに接続するためのデバイスであり、発展型ノードＢ ( ｅｖｏｌｖｅｄ Ｎｏｄｅ Ｂ：ｅＮＢ )、無線ネットワークコントローラ( ｒａｄｉｏ ｎｅｔｗｏｒｋ ｃｏｎｔｒｏｌｌｅｒ：ＲＮＣ )、ノードＢ ( Ｎｏｄｅ Ｂ：ＮＢ )、基地局制御装置( Ｂａｓｅ Ｓｔａｔｉｏｎ Ｃｏｎｔｒｏｌｌｅｒ：ＢＳＣ )、基地局送受信機( Ｂａｓｅ Ｔｒａｎｓｃｅｉｖｅｒ Ｓｔａｔｉｏｎ：ＢＴＳ )、ホーム基地局(例えば、Ｈｏｍｅ ｅｖｏｌｖｅｄ ＮｏｄｅＢ又はＨｏｍｅ Ｎｏｄｅ Ｂ：ＨＮＢ )、ベースバンドユニット( ＢａｓｅＢａｎｄ Ｕｎｉｔ：ＢＢＵ )等が挙げられるが、これらに限定されない。ネットワークデバイスは、無線ローカルエリアネットワーク( Ｗｉｒｅｌｅｓｓ Ｌｏｃａｌ Ａｒｅａ Ｎｅｔｗｏｒｋ：ＷＬＡＮ )におけるノードデバイスであってもよく、例えばアクセスコントローラ( ａｃｃｅｓｓ ｃｏｎｔｒｏｌｌｅｒ：ＡＣ )、ゲートウェイ、ＷＩＦＩアクセスポイント( Ａｃｃｅｓｓ Ｐｏｉｎｔ：ＡＰ )などである。
【００２６】
以下、図１に示すネットワーク構成図を用いて、本願の実施例における同期信号ブロックのタイミング方法について詳細に説明する。
【００２７】
図２ａを参照し、図２ａは、本開示の実施例で提供される同期信号ブロックのタイミング方法のフローチャートを示す図であり、Ｓ２０１及びＳ２０２を含む。
【００２８】
Ｓ２０１において、ネットワークデバイスがユーザーデバイスにＳＳ  ｂｌｏｃｋのタイミング情報を送信する。
【００２９】
１つの例において、前記ＳＳ  ｂｌｏｃｋのタイミング情報は、前記ネットワークデバイスが物理ブロードキャストチャネル（ＰＢＣＨ）及び／又は最小システム情報（ｍｉｎｉｍａｌ  ＳＩ）において提供したのもである。
【００３０】
具体的に、ＰＢＣＨは、ユーザーデバイスがセルサーチ時に最初に検出できるチャネルであるため、ネットワークデバイスは、ＰＢＣＨにＳＳ  ＢＬＯＣＫのタイミング情報を提供することにより、ユーザーデバイスがＳＳ  ＢＬＯＣＫのタイミング情報を最短時間で得ることができ、ユーザーデバイスがセルサーチ時に消費するエネルギーを節約することができ、また、ユーザーデバイスがセルサーチの設計を簡略化することができ、そうでなければ、ユーザーデバイスは、必ず他のチャネルを検出することによりＳＳ  ＢＬＯＣＫのタイミングを取得する必要がある。
【００３１】
また、現在の５Ｇ/ＮＲシステムでは、ユーザーデバイスが初期セルサーチを行うために知る必要がある情報は、ｍｉｎｉｍａｌ  ＳＩとなっている。ネットワークデバイスは、ＳＳ  ＢＬＯＣＫのタイミング情報をｍｉｎｉｍａｌ  ＳＩを介してユーザーデバイスに提供し、スケジューリングシグナリングを節約することができ、また、ユーザーデバイスが初期セルサーチを行うときにＳＳ  ＢＬＯＣＫのタイミング情報を取得することができるようにすることができる。
【００３２】
また、ＰＢＣＨにおいてｍｉｎｉｍａｌ  ＳＩのうちの比較的重要な部分情報が伝送され、残りの部分情報は、ＰＢＣＨが他のチャネルの伝送を指示する。例えば、ｍｉｎｉｍａｌ  ＳＩには情報Ａ及び情報Ｂを含み、情報Ｂより情報Ａが重要であり、ＰＢＣＨを用いてネットワークデバイスが情報Ａを送信し、そして、ＵＥがＰＢＣＨを傍受した場合に情報Ａを取得することができ、また、ネットワークデバイスがＰＢＣＨを用いて他のチャネル( ＰＢＣＨ以外のチャネル)で情報Ｂを送信することを指示する指示情報を送信し、そして、ＵＥがＰＢＣＨを傍受した場合に、情報Ｂがどのチャネルで送信されたかを知ることができる指示情報を取得することができる。また、ｍｉｎｉｍａｌ  ＳＩのうちの相対的に重要な情報の一部は、ネットワークデバイスが異なる機能によって決定することができ、例えば、本願の実施例では、ＳＳ  ＢＬＯＣＫのタイミング情報を搬送する情報が重要である。あるいは、ｍｉｎｉｍａｌ  ＳＩのうちの比較的重要な部分情報は、ネットワークデバイスによりカスタマイズされてもよいが、本発明はこれに限定されない。
【００３３】
１つの例において、前記ＳＳ  ＢＬＯＣＫのタイミング情報は、専用シグナリングを介してネットワークデバイスによって提供される。前記専用シグナリングは、例えば、ＲＲＣ接続再構成( ＲＲＣ Ｒｅｃｏｎｆｉｇｕｒａｔｉｏｎ )シグナリングであってもよい。このように、ＳＳ  ＢＬＯＣＫのタイミング情報を専用シグナリングで伝送することで、ＳＳ  ＢＬＯＣＫのタイミング情報の正確性が保証される。
【００３４】
Ｓ２０２において、前記ユーザーデバイスがネットワークデバイスにより送信されたＳＳ  ｂｌｏｃｋのタイミング情報を受信し、前記ユーザーデバイスが前記ＳＳ  ｂｌｏｃｋのタイミング情報に基づいてＳＳ  ｂｌｏｃｋのタイミングを確定する。
【００３５】
１つの例において、前記ＳＳ  ｂｌｏｃｋのタイミング情報は、
１）前記ＳＳ  ｂｌｏｃｋが使用する構成方式、
２）前記ＳＳ  ｂｌｏｃｋのインデックス（ｉｎｄｅｘ）、
３）前記ＳＳ  ｂｌｏｃｋの所属するＳＳ  ｂｕｒｓｔ  ｓｅｔの所在の時間領域位置、
４）時間領域において隣接する２つのＳＳ  ｂｌｏｃｋの距離
５）１つのＳＳ  ｂｕｒｓｔ  ｓｅｔ周期に含まれるＳＳ  ｂｌｏｃｋの数のうちの少なくとも１つを含む。
【００３６】
なお、ＳＳ  ＢＬＯＣＫのタイミング情報がＰＢＣＨでネットワークデバイスから提供され、ＳＳ  ＢＬＯＣＫのタイミング情報が上記５種類の情報のうち少なくとも２種類の情報を含む場合、ネットワークデバイスは、それら少なくとも２種類の情報を同じタイミングでＰＢＣＨにブロードキャストしてもよいし、又は、それら少なくとも２種類の情報を同じタイミングでＰＢＣＨにブロードキャストしなくてもよく、本願は限定されない
【００３７】
また、ＳＳ  ＢＬＯＣＫのタイミング情報がネットワークデバイスからｍｉｎｉｍａｌ  ＳＩで提供され、ＳＳ  ＢＬＯＣＫのタイミング情報が上記５種類の情報のうち少なくとも２種類の情報を含む場合、ネットワークデバイスはｍｉｎｉｍａｌ  ＳＩの情報の１つに同時にその少なくとも２種類の情報を搬送してもよいし、あるいはｍｉｎｉｍａｌ  ＳＩの情報の１つに同時にその少なくとも２種類の情報を搬送しなくてもよく、本願は限定されない。
【００３８】
また、ＳＳ  ＢＬＯＣＫのタイミング情報がＰＢＣＨとｍｉｎｉｍａｌ  ＳＩでネットワークデバイスから提供され、ＳＳ  ＢＬＯＣＫのタイミング情報が上記５種類の情報のうち少なくとも２種類の情報を含む場合、ネットワークデバイスは、少なくとも２種類の情報のうち一部をｍｉｎｉｍａｌ  ＳＩに持ち、残りの一部をＰＢＣＨでブロードキャストしてもよく、本願は限定されない。
【００３９】
１つの例において、前記ＳＳ  ｂｌｏｃｋが使用する構成方は、予め約定されたものである。ＳＳ  ＢＬＯＣＫが使用する構成方式は、ネットワークデバイスとユーザーデバイスが予め約定してもよいし、プロトコルで予め約定してもよく、本願は限定されない。
【００４０】
１つの例において、前記ＳＳ  ｂｌｏｃｋが使用する構成方式は、前記ＳＳ  ｂｌｏｃｋ の所属するＳＳ  ｂｕｒｓｔ  ｓｅｔの時間領域の位置関係である。
【００４１】
具体的には、図２ｂに示すように、１つのＳＳ  ｂｕｒｓｔ  ｓｅｔ周期、例えば２０ｍｓの間に、１つのＳＳ  ｂｕｒｓｔ  ｓｅｔ周期に２つのＳＳ  ＢＬＯＣＫが含まれ、２つのＳＳ  ＢＬＯＣＫの可能な配列方式が限られている。図２(ｂ)に示すように、１つのＳＳ  ｂｕｒｓｔ  ｓｅｔ周期に２つのＳＳ  ＢＬＯＣＫが含まれ、構成方式１と構成方式２の２つの構成方式がある。構成方式１におけるＳＳ  ＢＬＯＣＫは、図２(ｂ)に示すように、所属するＳＳ  ｂｕｒｓｔ  ｓｅｔにおける時間領域上の位置関係として、ＳＳ  ＢＬＯＣＫ＃１の開始位置がＳＳ  ｂｕｒｓｔ  ｓｅｔの開始位置と重なり、ＳＳ  ＢＬＯＣＫ＃２の開始位置がＳＳ  ＢＬＯＣＫ＃１の終了位置からＸ個のＯＦＤＭ  ｓｙｍｂｏｌである。構成方式２におけるＳＳ  ＢＬＯＣＫは、所属するＳＳ  ｂｕｒｓｔ  ｓｅｔにおける時間領域での位置関係として、ＳＳ  ＢＬＯＣＫ＃１の開始位置がＳＳ  ｂｕｒｓｔ  ｓｅｔの開始位置からＹ個のＯＦＤＭ  ｓｙｍｂｏｌ、ＳＳ  ＢＬＯＣＫ＃２の開始位置がＳＳ  ＢＬＯＣＫ＃１の終了位置からＺ個のＯＦＤＭ  ｓｙｍｂｏｌである。
【００４２】
なお、上記ＳＳ  ＢＬＯＣＫの属するＳＳ  ｂｕｒｓｔ  ｓｅｔにおける時間領域での位置関係は一例であり、ＳＳ  ＢＬＯＣＫの属するＳＳ  ｂｕｒｓｔ  ｓｅｔにおける時間領域での位置関係の具体的な表現については本願が限定されるものではない。
【００４３】
例えば、ＳＳ  ｂｕｒｓｔ  ｓｅｔ周期、例えば２０ｍｓをとし、ＳＳ  ｂｕｒｓｔ  ｓｅｔ周期に含まれる２つのＳＳ  ＢＬＯＣＫが含まれ、ＳＳ  ＢＬＯＣＫの構成方式が、図２ｂに示される構成方式１であり、ＳＳ  ＢＬＯＣＫのｉｎｄｅｘがＳＳ  ＢＬＯＣＫ＃１であり、構成方式１は、予め予定されているので、ネットワークデバイスから送信された上記情報を受信したユーザーデバイスは、予め予定されているＳＳ  ＢＬＯＣＫの構成方式１に基づいて、ＳＳ  ＢＬＯＣＫ＃１の正確なタイミングを知ることができる。また、ＳＳ  ＢＬＯＣＫの構成方式１では、ＳＳ  ｂｕｒｓｔ  ｓｅｔにおけるＳＳ  ＢＬＯＣＫ＃２の時間領域位置関係が与えられているため、ユーザーデバイスは、ＳＳ  ＢＬＯＣＫ＃１の正確なタイミングが得られた後、ＳＳ  ＢＬＯＣＫ＃１の正確なタイミングに基づいて、ＳＳ  ＢＬＯＣＫ＃２の正確なタイミングを取得することができ、さらに、ユーザーデバイスのＳＳ  ＢＬＯＣＫのサーチ速度を速める。
【００４４】
１つの例において、前記ＳＳ  ｂｌｏｃｋのタイミング情報は、前記ＳＳ  ｂｌｏｃｋの所属するＳＳ  ｂｕｒｓｔ  ｓｅｔでの所在の時間領域位置を含む場合、さらに、前記ＳＳ  ｂｌｏｃｋの所在のフレーム番号、又は、前記ＳＳ  ｂｌｏｃｋの所在のシンボル（ｓｙｍｂｏｌ）の時間領域位置を含む。
【００４５】
１つの例において、前記ＳＳ  ｂｌｏｃｋの所在のｓｙｍｂｏｌ時間領域位置は、前記ＳＳ  ｂｌｏｃｋ開始位置の所在のｓｙｍｂｏｌの時間領域位置を定義するために用いられ、及び／又は前記ＳＳ  ｂｌｏｃｋ終了位置の所在のｓｙｍｂｏｌの時間領域位置を定義するために用いられる。
【００４６】
１つの例において、前記ＳＳ  ｂｌｏｃｋの所在のフレーム番号は、前記ＳＳ  ｂｌｏｃｋ開始位置の所在のフレーム番号、及び／又は、前記ＳＳ  ｂｌｏｃｋ終了位置の所在のフレーム番号を定義するために用いられる。
【００４７】
例えば、ＳＳ  ＢＬＯＣＫが使用する構成方式は、予め予定される場合、ネットワークデバイスが同期信号を構成する際に一定の制限を引き起こす可能性がある。例えば、５Ｇシステムでは、高周波数帯域で、より多くの場合は、時分割複信( Ｔｉｍｅ Ｄｉｖｉｓｉｏｎ Ｄｕｐｌｅｘｉｎｇ：ＴＤＤ )システムである可能性がある。また、ＴＤＤシステムでは、セル内の異なるサービスタイプに従って上下フレームの割合を動的に調整できるシステムが必要である。同期信号は下りフレーム上でしか送信できないため、ＳＳ  ＢＬＯＣＫが使用する配置方式が予め約束されていれば、システムのスケジューリングに制限が生じる可能性がある。
【００４８】
上記の状況を回避するために、ネットワークデバイスは、ＳＳ  ＢＬＯＣＫのＳＳ  ｂｕｒｓｔ  ｓｅｔの所在の時間領域位置を、ＰＢＣＨまたはｍｉｎｉｍａｌ  ＳＩにおいてユーザーデバイスに直接通知することができる。図２ｃに示すように、２０ｍｓの１周期を有するＳＳ  ｂｕｒｓｔ  ｓｅｔ内に２つのＳＳ  ＢＬＯＣＫがあり、各ＳＳ  ＢＬＯＣＫは時間領域で４つのＯＦＤＭ  ｓｙｍｂｏｌが持続する。ＳＳ  ＢＬＯＣＫ＃１は、ＳＳ  ｂｕｒｓｔ  ｓｅｔの開始位置から開始し、ＳＳ  ＢＬＯＣＫ＃２の開始位置は、ＳＳ  ＢＬＯＣＫ＃１の終了位置から時間領域でｔ個のＯＦＤＭ  ｓｙｍｂｏｌである。図２ｃを例とし、ｓｙｍｂｏｌの単位で、ネットワークデバイスは、ＰＢＣＨまたはｍｉｎｉｍａｌ  ＳＩにおいて、ＳＳ  ＢＬＯＣＫ＃１のＳＳ  ｂｕｒｓｔ  ｓｅｔの位置が０であることをユーザーデバイス直接通知することができ、または、ネットワークデバイスは、ＰＢＣＨまたはｍｉｎｉｍａｌ  ＳＩにおいて、ＳＳ  ＢＬＯＣＫ＃２のＳＳ  ｂｕｒｓｔ  ｓｅｔの位置がｔ＋４であることをユーザーデバイスに直接通知することができ、このように、ＳＳ  ＢＬＯＣＫ２の開始位置は、ＳＳ  ｂｕｒｓｔ  ｓｅｔの開始位置の後のｔ＋４個のＯＦＤＭ  ｓｙｍｂｏｌにあることが分かる。ユーザーデバイスは、ネットワークデバイスからのＳＳ  ＢＬＯＣＫ＃１のＳＳ  ｂｕｒｓｔ  ｓｅｔの位置が０であることを受信する時、ＳＳ  ｂｕｒｓｔ  ｓｅｔの開始位置からＳＳ  ＢＬＯＣＫ＃１が開始することを知ることができ、又は、ユーザーデバイスは、ネットワークデバイスからのＳＳ  ＢＬＯＣＫ＃１のＳＳ  ｂｕｒｓｔ  ｓｅｔの位置がｔ＋４であることを受信する特に、ＳＳ  ＢＬＯＣＫ＃２がＳＳ  ｂｕｒｓｔ  ｓｅｔの開始位置の後のｔ＋４の位置から開始することを知ることができる。
【００４９】
ここで、ＳＳ  ＢＬＯＣＫ毎に時間領域で継続するｓｙｍｂｏｌの継続時間は、上述のようにＳＳ  ＢＬＯＣＫ毎に時間領域で４つのＯＦＤＭ  ｓｙｍｂｏｌが継続し、具体的な継続時間は、プロトコルで予め予定されていてもよいし、ＳＳ  ＢＬＯＣＫのタイミング情報に含まれていてもよいし、本願は限定されない。
【００５０】
また、ユーザーデバイスは、ＳＳ  ＢＬＯＣＫが属するＳＳ  ｂｕｒｓｔ  ｓｅｔにおける時間領域位置に加えて、ＳＳ  ＢＬＯＣＫが存在するフレーム構造全体における位置も知る必要がある。したがって、ネットワークデバイスは、ＰＢＣＨまたはｍｉｎｉｍａｌ  ＳＩにおいて、所属するＳＳ  ｂｕｒｓｔ  ｓｅｔにおけるＳＳ  ＢＬＯＣＫの位置に加えて、ＳＦｉｎｄｅｘ ( ５Ｇシステムでは、１つのＳＦが１ ｍｓの時間幅として定義される)などのＳＳ  ＢＬＯＣＫが存在するフレーム番号をユーザーデバイスに通知することができる。図２ｃでは、ＳＳ  ＢＬＯＣＫ１が存在するフレーム番号はＳＦｉであり、ＳＳ  ＢＬＯＣＫ２が存在するフレーム番号はＳＦｊである。ＳＳ  ＢＬＯＣＫが存在するフレーム番号は、ＳＳ  ＢＬＯＣＫの開始位置が存在するフレーム番号として定義してもよいし、終了位置が存在するフレーム番号として定義してもよい。この定義について、あるＳＳ  ＢＬＯＣＫが前後２つのＳＦにまたがる可能性があるためである。
【００５１】
あるいは、ユーザーデバイスは、ＳＳ  ＢＬＯＣＫが属するＳＳ  ｂｕｒｓｔ  ｓｅｔにおいて存在する時間領域位置に加えて、ＳＳ  ＢＬＯＣＫが存在するｓｙｍｂｏｌ時間領域位置も知る必要がある。したがって、ネットワークデバイスは、ＰＢＣＨまたはｍｉｎｉｍａｌ  ＳＩにおいて、所属するＳＳ  ｂｕｒｓｔ  ｓｅｔにおけるＳＳ  ＢＬＯＣＫの位置に加えて、ＳＳ  ＢＬＯＣＫが存在するｓｙｍｂｏｌ時間領域位置をユーザーデバイスに通知することができ、図２ｃにおいて、ＳＳ  ＢＬＯＣＫ＃１の所在のｓｙｍｂｏｌが最初のｓｙｍｂｏｌから４番目のｓｙｍｂｏｌまで、ＳＳ  ＢＬＯＣＫ＃２の所在のｓｙｍｂｏｌ がｔ＋４番目のｓｙｍｂｏｌからｔ＋８番目のｓｙｍｂｏｌまでことをユーザーデバイス通知することができる。ＳＳ  ＢＬＯＣＫが存在するｓｙｍｂｏｌ時間領域位置は、ＳＳ  ＢＬＯＣＫ開始位置が存在するｓｙｍｂｏｌとして定義されてもよいし、終了位置が存在するｓｙｍｂｏｌとして定義されてもよい。この定義について、あるＳＳ  ＢＬＯＣＫが前後２つのＳＦにまたがる可能性があるためである。
【００５２】
また、例えば、ＳＳ  ＢＬＯＣＫの検索を高速化するために、ネットワークデバイスは、ＳＳ  ｂｌｏｃｋの所属するＳＳ  ｂｕｒｓｔ  ｓｅｔ内の時間領域位置に加えて、ＳＳ  ＢＬＯＣＫが属するＳＳ  ｂｕｒｓｔ  ｓｅｔ内の時間領域上で隣接する２つのＳＳ  ＢＬＯＣＫの距離を、指示してもよい。例えば、図２ｃのＳＳ  ＢＬＯＣＫ＃１について、時間領域上で隣接する２つのＳＳ  ＢＬＯＣＫの距離はｔであり、現在のＳＳ  ＢＬＯＣＫの終了位置からｔ個のＯＦＤＭ  ｓｙｍｂｏｌを経過してＳＳ  ＢＬＯＣＫ＃２であることを示し、したがって、ユーザーデバイスは、ＳＳ  ＢＬＯＣＫ＃１の正確なタイミングを知った後、ＳＳ  ＢＬＯＣＫ＃２の正確なタイミングを知っている。
【００５３】
また、ＳＳ  ＢＬＯＣＫ  ｉｎｄｅｘがＳＳ  ＢＬＯＣＫ＃２である場合、それはＳＳ  ＢＬＯＣＫ＃２が属するＳＳ  ｂｕｒｓｔ  ｓｅｔの最後のＳＳ  ＢＬＯＣＫであるので、この場合、現在ＳＳ  ＢＬＯＣＫが現在ＳＳ  ＢＬＯＣＫが属するＳＳ  ｂｕｒｓｔ  ｓｅｔの最後のＳＳ  ＢＬＯＣＫであることを示すために、２つの方法の指示があり、１つは、指示されないか、または０にセットされる。また、現在のＳＳ  ＢＬＯＣＫから次のＳＳ  ｂｕｒｓｔ  ｓｅｔの最初のＳＳ  ＢＬＯＣＫまでの時間領域距離(すなわち、時間領域の次のＳＳ  ＢＬＯＣＫまでの距離)を示す。図２ｃでは、ＳＳ  ＢＬＯＣＫ＃２から次のＳＳ  ｂｕｒｓｔ  ｓｅｔまでの距離は、ｑ個のｓｙｍｂｏｌであるので、時間領域で隣接する２つのＳＳ  ＢＬＯＣＫの距離は、ｑであり、したがって、ユーザーデバイスは、ＳＳ  ＢＬＯＣＫ＃２の正確なタイミングを知った後、次のＳＳ  ｂｕｒｓｔ  ｓｅｔの最初のＳＳ  ＢＬＯＣＫの正確なタイミングを知る。
【００５４】
本願では、ユーザーデバイスは、ネットワークデバイスが送信するタイミング情報に基づいてＳＳ  ＢＬＯＣＫのタイミングを設定するため、従来技術においてＳＳ  ＢＬＯＣＫのタイミングをＳＳ  ＢＬＯＣＫ  ｉｎｄｅｘのみで行うよりもＳＳ  ＢＬＯＣＫの正確なタイミングを得ることができる。
【００５５】
図２ａの実施例に対応し、図３を参照し、図３は本願の実施例におけるユーザーデバイスの構成図である。当該ユーザーデバイスは、１つ以上のプロセッサ、１つ以上のメモリ、１つ以上の送受信機及び１つ以上のプログラムを含み、ここで、前記１つ以上のプログラムが前記メモリに記憶され、前記１つ以上のプロセッサにより実行され、前記プログラムは、以下のステップを実行する命令を含む。
【００５６】
ネットワークデバイスにより送信された同期信号ブロック（ＳＳ  ｂｌｏｃｋ）のタイミング情報を受信し、
前記ＳＳ  ｂｌｏｃｋのタイミング情報に基づいてＳＳ  ｂｌｏｃｋのタイミングを確定する。
【００５７】
１つの例において、前記ＳＳ  ｂｌｏｃｋのタイミング情報は、
１）前記ＳＳ  ｂｌｏｃｋが使用する構成方式、
２）前記ＳＳ  ｂｌｏｃｋのインデックス（ｉｎｄｅｘ）、
３）前記ＳＳ  ｂｌｏｃｋの所属する同期信号伝送セット（ＳＳ  ｂｕｒｓｔ  ｓｅｔ）での所在の時間領域位置、
４）時間領域において隣接する２つのＳＳ  ｂｌｏｃｋの距離のうちの少なくとも１つを含む。
【００５８】
１つの例において、前記ＳＳ  ｂｌｏｃｋが使用する構成方は、予め約定されたものである。
【００５９】
１つの例において、前記ＳＳ  ｂｌｏｃｋが使用する構成方式は、前記ＳＳ  ｂｌｏｃｋの所属するＳＳ  ｂｕｒｓｔ  ｓｅｔの時間領域の位置関係である。
【００６０】
１つの例において、前記ＳＳ  ｂｌｏｃｋのタイミング情報は、前記ＳＳ  ｂｌｏｃｋの所属するＳＳ  ｂｕｒｓｔ  ｓｅｔでの所在の時間領域位置を含む場合、さらに、前記ＳＳ  ｂｌｏｃｋの所在のフレーム番号、又は、前記ＳＳ  ｂｌｏｃｋの所在のシンボル（ｓｙｍｂｏｌ）の時間領域位置を含む。
【００６１】
１つの例において、前記ＳＳ  ｂｌｏｃｋの所在のｓｙｍｂｏｌ時間領域位置は、前記ＳＳ  ｂｌｏｃｋ開始位置の所在のｓｙｍｂｏｌの時間領域位置、及び／又は、前記ＳＳ  ｂｌｏｃｋ終了位置の所在のｓｙｍｂｏｌの時間領域位置を定義するために用いられる。
【００６２】
１つの例において、前記ＳＳ  ｂｌｏｃｋの所在のフレーム番号は、前記ＳＳ  ｂｌｏｃｋ開始位置の所在のフレーム番号、及び／又は、前記ＳＳ  ｂｌｏｃｋ終了位置の所在のフレーム番号を定義するために用いられる。
【００６３】
１つの例において、前記ＳＳ  ｂｌｏｃｋのタイミング情報は、前記ネットワークデバイスが物理ブロードキャストチャネル（ＰＢＣＨ）及び／又は最小システム情報（ｍｉｎｉｍａｌ  ＳＩ）において提供したのもである。
【００６４】
本願では、ユーザーデバイスは、ネットワークデバイスが送信するタイミング情報に基づいてＳＳ  ＢＬＯＣＫのタイミングを設定するため、従来技術においてＳＳ  ＢＬＯＣＫのタイミングをＳＳ  ＢＬＯＣＫ  ｉｎｄｅｘのみで行うよりもＳＳ  ＢＬＯＣＫの正確なタイミングを得ることができる。
【００６５】
上記の図２ａの実施例に対応し、図４を参照し、図４は本願の実施例におけるネットワークデバイスの構成図である。当該ネットワークデバイスは、１つ以上のプロセッサ、１つ以上のメモリ、１つ以上の送受信機及び１つ以上のプログラムを含み、ここで、前記１つ以上のプログラムが前記メモリに記憶され、前記１つ以上のプロセッサにより実行され、前記プログラムは、以下のステップを実行する命令を含む。
【００６６】
ユーザーデバイスに同期信号ブロック（ＳＳ  ｂｌｏｃｋ）のタイミング情報、を送信し、前記ＳＳ  ｂｌｏｃｋのタイミング情報は、前記ユーザーデバイスがＳＳ  ｂｌｏｃｋのタイミングを確定するために用いられる。
【００６７】
１つの例において、前記ＳＳ  ｂｌｏｃｋのタイミング情報は、
１）前記ＳＳ  ｂｌｏｃｋが使用する構成方式、
２）前記ＳＳ  ｂｌｏｃｋのインデックス（ｉｎｄｅｘ）、
３）前記ＳＳ  ｂｌｏｃｋの所属する同期信号伝送セット（ＳＳ  ｂｕｒｓｔ  ｓｅｔ）での所在の時間領域位置、
４）時間領域において隣接する２つのＳＳ  ｂｌｏｃｋの距離のうちの少なくとも１つを含む。
【００６８】
１つの例において、前記ＳＳ  ｂｌｏｃｋが使用する構成方は、予め約定されたものである。
【００６９】
１つの例において、前記ＳＳ  ｂｌｏｃｋが使用する構成方式は、前記ＳＳ  ｂｌｏｃｋ の所属するＳＳ  ｂｕｒｓｔ  ｓｅｔの時間領域の位置関係である。
【００７０】
１つの例において、前記ＳＳ  ｂｌｏｃｋのタイミング情報は、前記ＳＳ  ｂｌｏｃｋの所属するＳＳ  ｂｕｒｓｔ  ｓｅｔでの所在の時間領域位置を含む場合、さらに、前記ＳＳ  ｂｌｏｃｋの所在のフレーム番号、又は、前記ＳＳ  ｂｌｏｃｋの所在のシンボル（ｓｙｍｂｏｌ）の時間領域位置を含む。
【００７１】
１つの例において、前記ＳＳ  ｂｌｏｃｋの所在のｓｙｍｂｏｌ時間領域位置は、前記ＳＳ  ｂｌｏｃｋ開始位置の所在のｓｙｍｂｏｌの時間領域位置、及び／又は、前記ＳＳ  ｂｌｏｃｋ終了位置の所在のｓｙｍｂｏｌの時間領域位置を定義するために用いられる。
【００７２】
１つの例において、前記ＳＳ  ｂｌｏｃｋの所在のフレーム番号は、前記ＳＳ  ｂｌｏｃｋ開始位置の所在のフレーム番号、及び／又は、前記ＳＳ  ｂｌｏｃｋ終了位置の所在のフレーム番号を定義するために用いられる。
【００７３】
１つの例において、前記ＳＳ  ｂｌｏｃｋのタイミング情報は、前記ネットワークデバイスが物理ブロードキャストチャネル（ＰＢＣＨ）及び／又は最小システム情報（ｍｉｎｉｍａｌ  ＳＩ）において提供したのもである。
【００７４】
本願では、ユーザーデバイスは、ネットワークデバイスが送信するタイミング情報に基づいてＳＳ  ＢＬＯＣＫのタイミングを設定するため、従来技術においてＳＳ  ＢＬＯＣＫのタイミングをＳＳ  ＢＬＯＣＫ  ｉｎｄｅｘのみで行うよりもＳＳ  ＢＬＯＣＫの正確なタイミングを得ることができる。
【００７５】
以上、主にネットワーク要素間のインタラクションという観点から本願実施例の仕組みを説明した。ユーザーデバイス及びネットワークデバイスは、上記機能を実現するために、それぞれの機能を実行するハードウェア構成及び/又はソフトウェアモジュールを含むことが理解されよう。当業者は、本明細書に開示される実施例に関連して説明される様々な例のユニットおよびアルゴリズムステップが、ハードウェアまたはハードウェアとコンピュータソフトウェアとの組合せの形態で本開示が実施され得ることを容易に認識するであろう。ある機能がハードウェアで実行されるか、コンピュータソフトウェアドライバハードウェアで実行されるかは、特許請求の範囲の特定のアプリケーション及び設計制約に依存する。当業者は、説明された機能を実施するために、特定のアプリケーションごとに異なる方法を使用することができるが、そのような実施は、本開示の範囲を超えると考えられるべきではない。
【００７６】
本発明の実施例は、上記の方法例に従って、ユーザーデバイスとネットワーク側デバイスとに機能ユニットの分割を行うことができ、例えば、各機能ユニットを各機能に応じて分割してもよいし、２つ以上の機能を１つの処理ユニットに統合してもよい。上記の統合されたユニットは、ハードウェアの形態で実現されてもよいし、ソフトウェアプログラムモジュールの形態で実現されてもよい。なお、本願実施例におけるユニットの分割は模式的なものであり、一の論理的な機能分割のみのものであり、実際の実現には別の分割形態があり得る。
【００７７】
一体型ユニット又はモジュールを用いる場合、図５は、上述の実施例に係るユーザーデバイスの１つの可能な機能ユニット構成ブロック図を示す。ユーザーデバイス５００は、処理ユニット５０１と、通信ユニット５０２とを備える。処理ユニット５０１は、ユーザーデバイスの動作を制御管理するために使用され、例えば、処理ユニット５０１は、図２のステップ２０２および/または本明細書に記載の技術のための他のプロセスを実行するユーザーデバイスをサポートするために使用される。通信ユニット５０２は、ユーザーデバイスと他の装置との通信、例えば、図４に示すネットワーク装置との通信を支援するためのものである。ユーザーデバイスは、ユーザーデバイスのプログラムコードおよびデータを記憶するための記憶ユニット５０３をさらに含むことができる。
【００７８】
ここで、処理ユニット５０１は、プロセッサ又はコントローラであってよく、例えば、中央処理装置( Ｃｅｎｔｒａｌ Ｐｒｏｃｅｓｓｉｎｇ Ｕｎｉｔ：ＣＰＵ )、汎用プロセッサ、デジタル信号プロセッサ( Ｄｉｇｉｔａｌ Ｓｉｇｎａｌ Ｐｒｏｃｅｓｓｏｒ：ＤＳＰ )、特定用途向け集積回路( Ａｐｐｌｉｃａｔｉｏｎ−Ｓｐｅｃｉｆｉｃ Ｉｎｔｅｇｒａｔｅｄ Ｃｉｒｃｕｉｔ：ＡＳＩＣ )、フィールドプログラマブルゲートアレイ( Ｆｉｅｌｄ Ｐｒｏｇｒａｍｍａｂｌｅ Ｇａｔｅ Ａｒｒａｙ：ＦＰＧＡ )、又は他のプログラマブル論理デバイス、トランジスタロジックデバイス、ハードウェアコンポーネント、又はこれらの任意の組み合わせであってよい。本開示に関連して説明された様々な例示的な論理ブロック、モジュール、および回路を実装または実行することができる。プロセッサはまた、例えば、１つ以上のマイクロプロセッサの組み合わせ、ＤＳＰとマイクロプロセッサの組み合わせなどを含む、計算機能を実装する組み合わせであってもよい。通信ユニット５０２は、送受信機、送受信回路、無線チップなどであり、記憶ユニット５０３は、メモリなどである。
【００７９】
処理ユニット５０１がプロセッサであり、通信ユニット５０２が通信インタフェースであり、記憶ユニット５０３がメモリである場合、本願の実施例に係るユーザーデバイスは、図３に示すユーザーデバイスであってもよい。
【００８０】
図６は、統合ユニットを用いた場合の、上記実施例に係るネットワークデバイスの機能的なユニット構成を示すブロック図である。ネットワーク装置６００は、処理ユニット６０１と、通信ユニット６０２とを備える。処理ユニット６０１は、ネットワークデバイスの動作を制御管理するために使用され、例えば、処理ユニット６０１は、図２のステップ２０１及び/又は本明細書に記載される技術のための他のプロセスを実行するネットワークデバイスをサポートするために使用される。通信ユニット６０２は、ネットワークデバイスと他のデバイスとの通信、例えば、図３に示すユーザーデバイスとの通信を支援するためのものである。また、ネットワークデバイスは、ネットワークデバイスのプログラムコード及びデータを記憶するための記憶ユニット６０３を含んでもよい。
【００８１】
ここで、処理ユニット６０１は、プロセッサ又はコントローラであってよく、例えば、ＣＰＵ、ＤＳＰ、ＡＳＩＣ、ＦＰＧＡ又は他のプログラマブル論理デバイス、トランジスタロジックデバイス、ハードウェアコンポーネント、又はこれらの任意の組み合わせであってよい。本開示に関連して説明された様々な例示的な論理ブロック、モジュール、および回路を実装または実行することができる。プロセッサはまた、例えば、１つ以上のマイクロプロセッサの組み合わせ、ＤＳＰとマイクロプロセッサの組み合わせなどを含む、計算機能を実装する組み合わせであってもよい。通信ユニット６０２は、送受信機、送受信回路などであり、記憶ユニット６０３は、メモリなどである。
【００８２】
処理ユニット６０１がプロセッサであり、通信ユニット６０２が通信インタフェースであり、記憶ユニット６０３がメモリである場合、本願の実施例に係るネットワーク機器は、図４に示すネットワークデバイスであってもよい。
【００８３】
本発明の実施例は、図７に示されるような別のユーザーデバイスをさらに提供し、説明を容易にするために、本発明の実施例に関連する部分のみを示し、具体的な技術の詳細は開示されていないが、本発明の実施例の方法の部分を参照されたい。このユーザーデバイスは、携帯電話、タブレット、ＰＤＡ ( Ｐｅｒｓｏｎａｌ Ｄｉｇｉｔａｌ Ａｓｓｉｓｔａｎｔ、携帯情報端末)、ＰＯＳ ( Ｐｏｉｎｔ ｏｆ Ｓａｌｅｓ、販売端末)、車載コンピュータなどを含む任意のユーザデバイスであってよく、ユーザデバイスは、例えば、携帯電話である。
【００８４】
図７は、本発明の実施例に係るユーザーデバイスに関連する携帯電話機の一部構成を示すブロック図である。図７を参照すると、携帯電話機は、無線周波数( Ｒａｄｉｏ Ｆｒｅｑｕｅｎｃｙ、ＲＦ )回路９１０、メモリ９２０、入力ユニット９３０、表示ユニット９４０、センサ９５０、オーディオ回路９６０、ＷｉＦｉモジュール９７０、プロセッサ９８０、電源９９０などを備える。図７に示される携帯電話の構造は、携帯電話を限定するものではなく、図示されるよりも多いか少ない構成要素を含んでもよく、特定の構成要素を組み合わせたり、異なる構成要素の配置を含んでもよいことが、当業者によって理解されるであろう。
【００８５】
以下、図７を参照して携帯電話機の各構成部材について具体的に説明する。
【００８６】
ＲＦ回路９１０は、情報の受信および送信に使用され得る。一般に、ＲＦ回路９１０は、アンテナ、少なくとも１つの増幅器、送受信機、結合器、低雑音増幅器( Ｌｏｗ Ｎｏｉｓｅ Ａｍｐｌｉｆｉｅｒ：ＬＮＡ )、デュプレクサなどを含むが、これらに限定されない。さらに、ＲＦ回路９１０は、無線通信を介してネットワークおよび他のデバイスと通信することもできる。上記のワイヤレス通信は、限定されないが、全地球移動通信システム( Ｇｌｏｂａｌ Ｓｙｓｔｅｍ ｏｆ Ｍｏｂｉｌｅ ｃｏｍｍｕｎｉｃａｔｉｏｎ：ＧＳＭ )、ユニバーサルパケット無線サービス( Ｇｅｎｅｒａｌ Ｐａｃｋｅｔ Ｒａｄｉｏ Ｓｅｒｖｉｃｅ：ＧＰＲＳ )、符号分割多元接続( Ｃｏｄｅ Ｄｉｖｉｓｉｏｎ Ｍｕｌｔｉｐｌｅ Ａｃｃｅｓｓ：ＣＤＭＡ )、ブロードバンド符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ：ＷＣＤＭＡ )、ロングタームエボリューション( Ｌｏｎｇ Ｔｅｒｍ Ｅｖｏｌｕｔｉｏｎ：ＬＴＥ )、電子メール、ショートメッセージサービス( Ｓｈｏｒｔ Ｍｅｓｓａｇｉｎｇ Ｓｅｒｖｉｃｅ：ＳＭＳ )などを含む、任意の通信標準またはプロトコルを使用し得る。
【００８７】
メモリ９２０は、ソフトウェアプログラム及びモジュールを格納するために使用されてもよく、プロセッサ９８０は、メモリ９２０に格納されたソフトウェアプログラム及びモジュールを実行することによって、携帯電話の様々な機能アプリケーション及びデータ処理を実行する。メモリ９２０は、オペレーティングシステム、少なくとも１つの機能に必要なアプリケーションなどを格納することができるプログラム格納領域と、データ格納領域とを主に含んでもよい。記憶データ領域には、携帯電話機の使用に応じて作成されたデータ等が記憶される。さらに、メモリ９２０は、高速ランダムアクセスメモリを含んでもよく、少なくとも１つの磁気ディスク記憶装置、フラッシュメモリデバイス、または他の揮発性固体記憶デバイスなどの不揮発性メモリを含んでもよい。
【００８８】
入力ユニット９３０は、数字又は文字情報の入力を受信し、携帯電話機の使用者の設定及び機能制御に関するキー信号入力を生成するために使用される。具体的には、入力ユニット９３０は、指紋認識モジュール９３１及び他の入力装置９３２を含む。指紋認識モジュール９３１は、ユーザが存在する指紋データを取得することができる。入力ユニット９３０は、指紋認識モジュール９３１に加えて、他の入力装置９３２を含んでもよい。具体的には、他の入力装置９３２は、タッチスクリーン、物理的なキーボード、機能キー(例えば、音量調節キー、スイッチキーなど)、トラックボール、マウス、ジョイスティックなどのうちの１つ以上を含み得るが、これらに限定されない。
【００８９】
表示ユニット９４０は、ユーザが入力した情報、またはユーザに提供された情報を表示するために使用され、携帯電話機の様々なメニューを表示するために使用される。表示ユニット９４０は、表示画面９４１を含んでもよく、任意選択的に、液晶ディスプレイ( Ｌｉｑｕｉｄ Ｃｒｙｓｔａｌ Ｄｉｓｐｌａｙ：ＬＣＤ )、有機発光ダイオード( Ｏｒｇａｎｉｃ Ｌｉｇｈｔ−Ｅｍｉｔｔｉｎｇ Ｄｉｏｄｅ：ＯＬＥＤ )などの形態で構成されてもよい。図７では、指紋認識モジュール９３１と表示画面９４１は、２つの独立した部品として携帯電話の入力及び入力機能を実現するが、いくつかの実施例において、指紋認識モジュール９３１と表示画面９４１を統合して携帯電話の入力及び再生機能を実現することができる。
【００９０】
携帯電話は、光センサ、モーションセンサ、及び他のセンサなどの少なくとも１つのセンサ９５０を更に含むことができる。具体的には、光センサは、周辺光センサ及び近接センサを含み、周辺光センサは、周辺光の明暗に応じて表示画面９４１の輝度を調節し、近接センサは、携帯電話が耳に移動したときに表示画面９４１及び/又はバックライトをオフにすることができる。モーションセンサの一種として、加速度計センサは、様々な方向(一般的には３軸)の加速度の大きさを検出し、静止時は重力の大きさ及び方向を検出し、携帯電話機の姿勢を認識するアプリケーション(例えば、縦横画面切替、関連ゲーム、磁力計の姿勢較正)、振動認識関連機能(例えば、歩数計、ストローク)等に用いることができる。携帯電話に配置可能なジャイロスコープ、気圧計、湿度計、温度計、赤外線センサ等の他のセンサについては説明を省略する。
【００９１】
オーディオ回路９６０、スピーカ９６１、マイク９６２は、ユーザと携帯電話との間のオーディオインターフェースを提供し得る。オーディオ回路９６０は、受信されたオーディオデータを変換した電気信号をスピーカ９６１に伝送し、スピーカ９６１で音声信号に変換して再生する。一方、マイク９６２は、集音した音声信号を電気信号に変換し、オーディオ回路９６０で受信して音声データに変換し、音声データ再生処理ユニット９８０で処理した後、ＲＦ回路９１０を介して他の携帯電話機等に送信したり、メモリ９２０に再生して処理する。
【００９２】
ＷｉＦｉは、近距離無線送信技術に属し、ＷｉＦｉモジュール９７０を通じて、携帯電話は、ユーザが無線ブロードバンドインターネットアクセスを提供する電子メールの送受信、ウェブページの閲覧、ストリーミングメディアへのアクセスなどを支援し得る。図７はＷｉＦｉモジュール９７０を示しているが、携帯電話の必須構成ではなく、必要に応じて発明の本質を変更しない範囲で完全に省略できることは理解される。
【００９３】
プロセッサ９８０は、携帯電話機の制御センターであり、各種のインターフェース及び回線を用いて携帯電話機全体の各部を接続し、メモリ９２０に格納されたソフトウェアプログラム及び/又はモジュールを実行又は実行し、メモリ９２０に格納されたデータを呼び出して携帯電話機の各種機能及び処理データを実行することにより、携帯電話機全体の監視を行う。任意選択で、プロセッサ９８０は、１つまたは複数の処理ユニットを備えてもよく、好ましくは、プロセッサ９８０は、オペレーティングシステム、ユーザインターフェース、およびアプリケーションなどを主に処理するアプリケーションプロセッサと、ワイヤレス通信を主に処理するモデムプロセッサとを統合することができる。プロセッサ９８０に上記モデムプロセッサが統合されなくてもよいことが理解される。
【００９４】
携帯電話は、好ましくは、電源管理システムを介してプロセッサ９８０に論理的に接続され得る様々な構成要素に電力を供給するための電池のような電源９９０をさらに含み、これにより、充電、放電、および電力消費の管理などを電源管理システムを介して管理する機能が実現される。
【００９５】
図示されていないが、携帯電話は、カメラ、ブルートゥースモジュールなどをさらに含むことができ、ここではその説明を省略する。
【００９６】
前述の図２に示される実施例において、各ステップ方法におけるユーザユーザーデバイス側のフローは、当該携帯電話機の構成に基づいて実現されてもよい。
【００９７】
前記図５に示した実施例において、各手段の機能は、この携帯電話機の構成に基づいて実現することができる。
【００９８】
本願の実施例は、コンピューター読み取り可能な記憶媒体を提供し、電子データ交換のためのコンピュータープログラムが記憶され、ここで、前記コンピュータープログラムによりコンピューターが上記の方法実施例のユーザーデバイスに記載の全部又は一部のステップを実行する。
【００９９】
本願の実施例は、コンピューター読み取り可能な記憶媒体を提供し、電子データ交換のためのコンピュータープログラムが記憶され、ここで、前記コンピュータープログラムによりコンピューターが上記の方法実施例のネットワークデバイスに記載の全部又は一部のステップを実行する。
【０１００】
本願の実施例は、上記の方法実施例のユーザーデバイスに記載の方法をコンピュータに実行させるように動作可能なコンピュータプログラムを記憶した非一時的コンピュータ可読記憶媒体を備えるコンピュータプログラム製品を提供し、前記コンピュータープログラムによりコンピューターが上記の方法実施例のユーザーデバイスに記載の全部又は一部のステップを実行する。当該コンピュータープログラム製品は、１つのソフトウェアインストールパッケージであってもよい。
【０１０１】
本願の実施例は、上記の方法実施例のネットワークデバイスに記載の方法をコンピュータに実行させるように動作可能なコンピュータプログラムを記憶した非一時的コンピュータ可読記憶媒体を備えるコンピュータプログラム製品を提供し、前記コンピュータープログラムによりコンピューターが上記の方法実施例のネットワークデバイスに記載の全部又は一部のステップを実行する。当該コンピュータープログラム製品は、１つのソフトウェアインストールパッケージであってもよい。
【０１０２】
本出願の実施例に記載された方法またはアルゴリズムのステップは、ハードウェアで実現されてもよく、プロセッサがソフトウェア命令を実行する方式で実現されてもよい。ソフトウェア命令は、ランダムアクセスメモリ( Ｒａｎｄｏｍ Ａｃｃｅｓｓ Ｍｅｍｏｒｙ：ＲＡＭ )、フラッシュメモリ、リードオンリーメモリ( Ｒｅａｄ Ｏｎｌｙ Ｍｅｍｏｒｙ：ＲＯＭ )、消去可能プログラマブルリードオンリーメモリ( Ｅｒａｓａｂｌｅ Ｐｒｏｇｒａｍｍａｂｌｅ ＲＯＭ：ＥＰＲＯＭ )、電気的消去可能プログラマブルリードオンリーメモリ( Ｅｌｅｃｔｒｉｃａｌｌｙ ＥＰＲＯＭ：ＥＥＰＲＯＭ )、レジスタ、ハードディスク、モバイルハードディスク、リードオンリーディスク( ＣＤ−ＲＯＭ )、または当技術分野で周知の任意の他の形態の記憶媒体に格納され得る、対応するソフトウェアモジュールから構成され得る。例示的な記憶媒体は、プロセッサが記憶媒体から情報を読み取り、記憶媒体に情報を書き込むことを可能にするように、プロセッサに結合される。もちろん、記憶媒体はプロセッサの一部であってもよい。プロセッサおよび記憶媒体は、ＡＳＩＣ内に配置され得る。また、ＡＳＩＣは、アクセスネットワークデバイス、ターゲットネットワークデバイス、またはコアネットワークデバイス内に配置され得る。もちろん、プロセッサおよび記憶媒体は、アクセスネットワークデバイス、ターゲットネットワークデバイス、またはコアネットワークデバイス内に個別構成要素として存在してもよい。
【０１０３】
当業者は、上述の１つ以上の例において、本願の実施例に記載される機能が、ソフトウェア、ハードウェア、ファームウェア、またはそれらの任意の組合せによって、全体的にまたは部分的に実装され得ることを認識するであろう。ソフトウェアで実装する場合、全体的に又は部分的にコンピュータプログラム製品の形態で実装することができる。コンピュータプログラム製品は、１つ以上のコンピュータ命令を含む。コンピュータプログラム命令は、コンピュータ上でロードされ実行されると、本願の実施例にしたがったフローまたは機能を全体的にまたは部分的に生成する。コンピュータは、汎用コンピュータ、専用コンピュータ、コンピュータネットワーク、又は他のプログラム可能な装置であってもよい。コンピュータ命令は、コンピュータ可読記憶媒体に記憶されてもよく、または、例えば、１つのウェブサイト、コンピュータ、サーバ、またはデータセンターから、別のウェブサイト、コンピュータ、サーバ、またはデータセンターへ、有線(例えば、同軸ケーブル、光ファイバ、デジタル加入者線( Ｄｉｇｉｔａｌ Ｓｕｂｓｃｒｉｂｅｒ Ｌｉｎｅ：ＤＳＬ ) )、または無線(例えば、赤外線、無線、マイクロ波など)手段によって送信されてもよい。コンピュータ可読記憶媒体は、コンピュータによってアクセス可能な任意の利用可能な媒体、または１つ以上の利用可能な媒体と一体化されたサーバ、データセンターなどを含むデータ記憶デバイスであり得る。利用可能な媒体は、磁気媒体(例えば、フロッピーディスク、ハードディスク、磁気テープ)、光学媒体(例えば、デジタルビデオディスク( Ｄｉｇｉｔａｌ Ｖｉｄｅｏ Ｄｉｓｃ：ＤＶＤ ) )、又は半導体媒体(例えば、ソリッドステートドライブ( ＳＳＤ ) )などであってもよい。
【０１０４】
本発明の実施例の目的、技術的解決策、および効果を、上記の具体的な実施例についてさらに詳細に説明したが、上記の説明は、本発明の実施例の具体的な実施例にすぎず、本発明の実施例の保護範囲を制限するものではなく、本発明の実施例の技術的解決策に基づいて、本発明の実施例の保護範囲内に含まれるあらゆる修正、均等物、および改良がなされるべきであることが理解される。
【図１】
2020519189.tif 000003
【図２ａ】
2020519189.tif 000004
【図２ｂ】
2020519189.tif 000005
【図２ｃ】
2020519189.tif 000006
【図３】
2020519189.tif 000007
【図４】
2020519189.tif 000008
【図５】
2020519189.tif 000009
【図６】
2020519189.tif 000010
【図７】
2020519189.tif 000011
【手続補正書】
【提出日】令和2年4月9日(2020.4.9)
【手続補正１】
【補正対象書類名】明細書
【補正対象項目名】全文
【補正方法】変更
【補正の内容】
【発明の詳細な説明】
【技術分野】
【０００１】
本願は通信技術分野に関し、特に、同期信号ブロックのタイミング方法及び関連製品に関する。
【背景技術】
【０００２】
同期信号は、同期処理を必要とする設備機器に同じ時間基準を与える信号である。新空ポート(Ｎｅｗ Ｒａｔｉｏ：ＮＲ)／５ＧのＭｕｌｔｉ−ｂｅａｍシステムは、異なるビームによってセル全体をカバーする。各ｂｅａｍは、１つの同期信号ブロック(ＳＳ  ｂｌｏｃｋ)に対応し、ＳＳ  ｂｌｏｃｋは、少なくとも一次同期信号(Ｐｒｉｍａｒｙ Ｓｙｎｃｈｒｏｎｉｚａｔｉｏｎ Ｓｉｇｎａｌ：ＰＳＳ)、二次同期信号(Ｓｅｃｏｎｄａｒｙ Ｓｙｎｃｈｒｏｎｉｚａｔｉｏｎ Ｓｉｇｎａｌ：ＳＳＳ)、および復調のための復調基準信号(ＤＭＲＳ)を含む物理ブロードキャストチャネル(Ｐｈｙｓｉｃａｌ Ｂｒｏａｄｃａｓｔ Ｃｈａｎｎｅｌ：ＰＢＣＨ)を含む。
【０００３】
現在、ＮＲの検討において、ＳＳ  ＢＬＯＣＫインデックスはＰＢＣＨ内で搬送され、ユーザーデバイス（Ｕｓｅｒ Ｅｑｕｉｐｍｅｎｔ:ＵＥ）は、１つのＳＳ  ＢＬＯＣＫを検出し、ＰＢＣＨを成功に復調した後、ＳＳ  ＢＬＯＣＫのｉｎｄｅｘを取得することができる。しかしながら、あるシーンにおいて、ＵＥは、ＳＳ  ＢＬＯＣＫのｉｎｄｅｘを知っていても、ＳＳ  ＢＬＯＣＫのシンボル（ｓｙｍｂｏｌ）レベルのタイミング及びサブフレーム(ＳＦ)レベルのタイミングを知らない可能性がある。ｓｙｍｂｏｌレベル及びＳＦレベルのような正確なタイミングを取得することは、ＵＥがセルを検索する最初のステップであるため、ＵＥがＳＳ  ＢＬＯＣＫの正確なタイミングをどのように取得するかは、解決すべき技術的課題である。
【発明の概要】
【０００４】
本願の実施例は、ＳＳ  ｂｌｏｃｋの正確的なタイミングを取得することができる同期信号ブロックのタイミング方法及び関連製品を提供する。
【０００５】
第１の形態として、本願の実施例は、同期信号ブロックのタイミング方法を提供し、
ユーザーデバイスがネットワークデバイスにより送信された同期信号ブロック（ＳＳ  ｂｌｏｃｋ）のタイミング情報を受信することと、
前記ユーザーデバイスが前記ＳＳ  ｂｌｏｃｋのタイミング情報に基づいてＳＳ  ｂｌｏｃｋのタイミングを確定することとを含む。
【０００６】
第２の形態として、本願の実施例は、同期信号ブロックのタイミング方法を提供し、
ネットワークデバイスがユーザーデバイスに同期信号ブロック（ＳＳ  ｂｌｏｃｋ）のタイミング情報を送信することを含み、前記ＳＳ  ｂｌｏｃｋのタイミング情報は、前記ユーザーデバイスがＳＳ  ｂｌｏｃｋのタイミングを確定するために用いられる。
【０００７】
第３の形態として、本願の実施例は、ユーザーデバイスを提供し、処理ユニット及び通信ユニットを含み、
前記処理ユニットは、前記通信ユニットを利用してネットワークデバイスにより送信された同期信号ブロック（ＳＳ  ｂｌｏｃｋ）のタイミング情報を受信するように構成され、
前記処理ユニットは、さらに、前記ＳＳ  ｂｌｏｃｋのタイミング情報に基づいてＳＳ  ｂｌｏｃｋのタイミングを確定するように構成される。
【０００８】
第４の形態として、本願の実施例は、ネットワークデバイスを提供し、処理ユニット及び通信ユニットを含み、
前記処理ユニットは、前記通信ユニットを利用してユーザーデバイスに同期信号ブロック（ＳＳ  ｂｌｏｃｋ）のタイミング情報を送信するように構成され、前記ＳＳ  ｂｌｏｃｋのタイミング情報は、前記ユーザーデバイスがＳＳ  ｂｌｏｃｋのタイミングを確定するために用いられる。
【０００９】
第５の形態として、本願の実施例はユーザーデバイスを提供し、１つ以上のプロセッサ、１つ以上のメモリ、１つ以上の送受信機、及び１つ以上のプログラムを含み、前記１つ以上のプログラムが前記メモリに記憶され、前記１つ以上のプロセッサにより実行され、前記プログラムは、第１の形態に前記の方法のステップを実行する命令を含む。
【００１０】
第６の形態として、本願の実施例は、ネットワークデバイスを提供し、１つ以上のプロセッサ、１つ以上のメモリ、１つ以上の送受信機、及び１つ以上のプログラムを含み、前記１つ以上のプログラムが前記メモリに記憶され、前記１つ以上のプロセッサにより実行され、前記プログラムは、第２の形態に前記の方法のステップを実行する命令を含む。
【００１１】
第７の形態として、本願の実施例は、コンピューター読み取り可能な記憶媒体を提供し、電子データ交換のためのコンピュータープログラムが記憶され、ここで、前記コンピュータープログラムによりコンピューターが第１の形態に前記の方法を実行する。
【００１２】
第８の形態として、本願の実施例は、コンピューター読み取り可能な記憶媒体を提供し、電子データ交換のためのコンピュータープログラムが記憶され、ここで、前記コンピュータープログラムによりコンピューターが第２の形態に前記の方法を実行する。
【００１３】
第９の形態として、本願の実施例は、第１の形態に記載の方法をコンピュータに実行させるように動作可能なコンピュータプログラムを記憶した非一時的コンピュータ可読記憶媒体を備えるコンピュータプログラム製品を提供する。
【００１４】
第１０形態として、本願の実施例は、第２の形態に記載の方法をコンピュータに実行させるように動作可能なコンピュータプログラムを記憶した非一時的コンピュータ可読記憶媒体を備えるコンピュータプログラム製品を提供する。
【００１５】
本願に係る発明において、ユーザーデバイスがネットワークデバイスにより送信されたタイミング情報に基づいてＳＳ  ｂｌｏｃｋのタイミングを設定するため、従来の技術においてＳＳ  ｂｌｏｃｋ  ｉｎｄｅｘのみに基づいてＳＳ  ｂｌｏｃｋのタイミングを設定することと比べ、本願に係る技術案は、ＳＳ  ｂｌｏｃｋのさらに正確的なタイミングを取得することができる。
【００１６】
本開示のこれらの態様または他の態様は、以下の実施例の説明においてより容易に理解されるであろう。
【図面の簡単な説明】
【００１７】
本開示の上記および他の特徴およびメリットは、添付の図面を参照して詳細に説明する例示的な実施例により、より明らかになる。なお、以下の記載における図面はただ本発明の一部の実施例に過ぎず、当業者の場合、創造的な労働を付与しない前提で、これらの図面によって他の図面を得ることができる。
【図１】本願の実施例におけるネットワークフレームワークの模式図である。
【図２ａ】本願の実施例における同期信号ブロックのタイミング方法のフローチャートである。
【図２ｂ】本願の実施例におけるＳＳ  ｂｌｏｃｋの構成方式の模式図である。
【図２ｃ】本願の実施例におけるＳＳ  ｂｕｒｓｔ  ｓｅｔの模式図である。
【図３】本願の実施例におけるユーザーデバイスの構成図である。
【図４】本願の実施例におけるネットワークデバイスの構成図である。
【図５】本願の実施例における他のユーザーデバイスの構成図である。
【図６】本願の実施例における他のネットワークデバイスの構成図である。
【図７】本願の実施例における他のユーザーデバイスの構成図である。
【発明を実施するための形態】
【００１８】
本出願の実施例を当業者により良く理解するために、以下に、本出願の実施例における技術的解決策を、本出願の実施例における図面との関連で、明確かつ完全に説明するが、記載される実施例は、本出願の一部の実施例にすぎず、全ての実施例ではないことを理解されたい。本出願における実施例に基づいて、当業者が創造的な労働をすることなく得られる全ての他の実施例は、本出願の保護範囲に属するものとする。
【００１９】
以下、それぞれについて詳細に説明する。
【００２０】
本出願の明細書及び特許請求の範囲、並びに添付図面における用語「第１」、「第２」、「第３」、及び「第４」などは、異なる対象を区別するために使用され、特定の順序を説明するために使用されない。さらに、「含む」及び「有する」という用語、並びにそれらの任意の変形は、排他的な包含を含まないことが意図される。例えば、一連のステップまたはユニットを含むプロセス、方法、システム、製品または装置は、記載されたステップまたはユニットに限定されず、記載されていないステップまたはユニットを任意に含むこと、または、そのようなプロセス、方法、製品または装置に固有の他のステップまたはユニットを任意に含むこともできる。
【００２１】
本明細書における「実施例」への言及は、実施例に関連して説明される特定の特徴、構造、または特性が、本開示の少なくとも１つの実施例に含まれ得ることを意味する。本明細書の様々な箇所でのこの語句の出現は、必ずしも全てが同じ実施例を指すものではなく、他の実施例と排他的である別個の又は代替の実施例でもない。当業者は、明示的及び暗黙的に、本明細書に記載の実施例を他の実施例と組み合わせることができることを理解する。
【００２２】
以下、本発明の実施例を図面に基づいて説明する。
【００２３】
図１は、本願の実施例に開示されたネットワークフレームワークの概略図である。図１に示すネットワークアーキテクチャは、ネットワークデバイス１１０と、ユーザーデバイス１２０とを含む。ネットワークデバイス１１０は、ＳＳ  ＢＬＯＣＫのタイミング情報をユーザーデバイス１２０に送信し、ユーザーデバイス１２０は、ネットワークデバイス１１０が送信したＳＳ  ＢＬＯＣＫのタイミング情報を受信すると、ＳＳ  ＢＬＯＣＫのタイミング情報に基づいてＳＳ  ＢＬＯＣＫのタイミングを決定する。このように、ネットワークデバイスが送信するタイミング情報に基づいてＳＳ  ＢＬＯＣＫのタイミングを設定することで、従来技術においてＳＳ  ＢＬＯＣＫのタイミングをＳＳ  ＢＬＯＣＫ  ｉｎｄｅｘのみで設定するよりもＳＳ  ＢＬＯＣＫの正確なタイミングを設定することが可能となる。
【００２４】
ここで、ユーザーデバイス(Ｕｓｅｒ Ｅｑｕｉｐｍｅｎｔ：ＵＥ )は、ユーザに音声及び/又はデータ通信性を提供するデバイスであり、例えば、無線接続機能を有するハンドヘルド機器、車載機器などである。一般的なユーザーデバイスには、例えば、携帯電話、タブレット、ラップトップ、パームトップ、モバイルインターネット機器( ｍｏｂｉｌｅ ｉｎｔｅｒｎｅｔ ｄｅｖｉｃｅ：ＭＩＤ )、ウェアラブル機器、例えば、スマートウォッチ、スマートブレスレット、歩数計などが含まれる。
【００２５】
ここで、ネットワークデバイスは、ネットワーク側のノードデバイスであり、例えば、ネットワークデバイスは、セルラーネットワークにおけるアクセスネットワーク側の無線アクセスネットワーク( Ｒａｄｉｏ Ａｃｃｅｓｓ Ｎｅｔｗｏｒｋ：ＲＡＮ )デバイスであってもよく、ＲＡＮデバイスは、ユーザーデバイスを無線ネットワークに接続するためのデバイスであり、発展型ノードＢ ( ｅｖｏｌｖｅｄ Ｎｏｄｅ Ｂ：ｅＮＢ )、無線ネットワークコントローラ( ｒａｄｉｏ ｎｅｔｗｏｒｋ ｃｏｎｔｒｏｌｌｅｒ：ＲＮＣ )、ノードＢ ( Ｎｏｄｅ Ｂ：ＮＢ )、基地局制御装置( Ｂａｓｅ Ｓｔａｔｉｏｎ Ｃｏｎｔｒｏｌｌｅｒ：ＢＳＣ )、基地局送受信機( Ｂａｓｅ Ｔｒａｎｓｃｅｉｖｅｒ Ｓｔａｔｉｏｎ：ＢＴＳ )、ホーム基地局(例えば、Ｈｏｍｅ ｅｖｏｌｖｅｄ ＮｏｄｅＢ又はＨｏｍｅ Ｎｏｄｅ Ｂ：ＨＮＢ )、ベースバンドユニット( ＢａｓｅＢａｎｄ Ｕｎｉｔ：ＢＢＵ )等が挙げられるが、これらに限定されない。ネットワークデバイスは、無線ローカルエリアネットワーク( Ｗｉｒｅｌｅｓｓ Ｌｏｃａｌ Ａｒｅａ Ｎｅｔｗｏｒｋ：ＷＬＡＮ )におけるノードデバイスであってもよく、例えばアクセスコントローラ( ａｃｃｅｓｓ ｃｏｎｔｒｏｌｌｅｒ：ＡＣ )、ゲートウェイ、ＷＩＦＩアクセスポイント( Ａｃｃｅｓｓ Ｐｏｉｎｔ：ＡＰ )などである。
【００２６】
以下、図１に示すネットワーク構成図を用いて、本願の実施例における同期信号ブロックのタイミング方法について詳細に説明する。
【００２７】
図２ａを参照し、図２ａは、本開示の実施例で提供される同期信号ブロックのタイミング方法のフローチャートを示す図であり、Ｓ２０１及びＳ２０２を含む。
【００２８】
Ｓ２０１において、ネットワークデバイスがユーザーデバイスにＳＳ  ｂｌｏｃｋのタイミング情報を送信する。
【００２９】
１つの例において、前記ＳＳ  ｂｌｏｃｋのタイミング情報は、前記ネットワークデバイスが物理ブロードキャストチャネル（ＰＢＣＨ）及び／又は最小システム情報（ｍｉｎｉｍａｌ  ＳＩ）において提供したのもである。
【００３０】
具体的に、ＰＢＣＨは、ユーザーデバイスがセルサーチ時に最初に検出できるチャネルであるため、ネットワークデバイスは、ＰＢＣＨにＳＳ  ＢＬＯＣＫのタイミング情報を提供することにより、ユーザーデバイスがＳＳ  ＢＬＯＣＫのタイミング情報を最短時間で得ることができ、ユーザーデバイスがセルサーチ時に消費するエネルギーを節約することができ、また、ユーザーデバイスがセルサーチの設計を簡略化することができ、そうでなければ、ユーザーデバイスは、必ず他のチャネルを検出することによりＳＳ  ＢＬＯＣＫのタイミングを取得する必要がある。
【００３１】
また、現在の５Ｇ/ＮＲシステムでは、ユーザーデバイスが初期セルサーチを行うために知る必要がある情報は、ｍｉｎｉｍａｌ  ＳＩとなっている。ネットワークデバイスは、ＳＳ  ＢＬＯＣＫのタイミング情報をｍｉｎｉｍａｌ  ＳＩを介してユーザーデバイスに提供し、スケジューリングシグナリングを節約することができ、また、ユーザーデバイスが初期セルサーチを行うときにＳＳ  ＢＬＯＣＫのタイミング情報を取得することができるようにすることができる。
【００３２】
また、ＰＢＣＨにおいてｍｉｎｉｍａｌ  ＳＩのうちの比較的重要な部分情報が伝送され、残りの部分情報は、ＰＢＣＨが他のチャネルの伝送を指示する。例えば、ｍｉｎｉｍａｌ  ＳＩには情報Ａ及び情報Ｂを含み、情報Ｂより情報Ａが重要であり、ＰＢＣＨを用いてネットワークデバイスが情報Ａを送信し、そして、ＵＥがＰＢＣＨを傍受した場合に情報Ａを取得することができ、また、ネットワークデバイスがＰＢＣＨを用いて他のチャネル( ＰＢＣＨ以外のチャネル)で情報Ｂを送信することを指示する指示情報を送信し、そして、ＵＥがＰＢＣＨを傍受した場合に、情報Ｂがどのチャネルで送信されたかを知ることができる指示情報を取得することができる。また、ｍｉｎｉｍａｌ  ＳＩのうちの相対的に重要な情報の一部は、ネットワークデバイスが異なる機能によって決定することができ、例えば、本願の実施例では、ＳＳ  ＢＬＯＣＫのタイミング情報を搬送する情報が重要である。あるいは、ｍｉｎｉｍａｌ  ＳＩのうちの比較的重要な部分情報は、ネットワークデバイスによりカスタマイズされてもよいが、本発明はこれに限定されない。
【００３３】
１つの例において、前記ＳＳ  ＢＬＯＣＫのタイミング情報は、専用シグナリングを介してネットワークデバイスによって提供される。前記専用シグナリングは、例えば、ＲＲＣ接続再構成( ＲＲＣ Ｒｅｃｏｎｆｉｇｕｒａｔｉｏｎ )シグナリングであってもよい。このように、ＳＳ  ＢＬＯＣＫのタイミング情報を専用シグナリングで伝送することで、ＳＳ  ＢＬＯＣＫのタイミング情報の正確性が保証される。
【００３４】
Ｓ２０２において、前記ユーザーデバイスがネットワークデバイスにより送信されたＳＳ  ｂｌｏｃｋのタイミング情報を受信し、前記ユーザーデバイスが前記ＳＳ  ｂｌｏｃｋのタイミング情報に基づいてＳＳ  ｂｌｏｃｋのタイミングを確定する。
【００３５】
１つの例において、前記ＳＳ  ｂｌｏｃｋのタイミング情報は、
１）前記ＳＳ  ｂｌｏｃｋが使用する構成方式、
２）前記ＳＳ  ｂｌｏｃｋのインデックス（ｉｎｄｅｘ）、
３）前記ＳＳ  ｂｌｏｃｋの所属するＳＳ  ｂｕｒｓｔ  ｓｅｔの所在の時間領域位置、
４）時間領域において隣接する２つのＳＳ  ｂｌｏｃｋの距離
５）１つのＳＳ  ｂｕｒｓｔ  ｓｅｔ周期に含まれるＳＳ  ｂｌｏｃｋの数のうちの少なくとも１つを含む。
【００３６】
なお、ＳＳ  ＢＬＯＣＫのタイミング情報がＰＢＣＨでネットワークデバイスから提供され、ＳＳ  ＢＬＯＣＫのタイミング情報が上記５種類の情報のうち少なくとも２種類の情報を含む場合、ネットワークデバイスは、それら少なくとも２種類の情報を同じタイミングでＰＢＣＨにブロードキャストしてもよいし、又は、それら少なくとも２種類の情報を同じタイミングでＰＢＣＨにブロードキャストしなくてもよく、本願は限定されない
また、ＳＳ  ＢＬＯＣＫのタイミング情報がネットワークデバイスからｍｉｎｉｍａｌ  ＳＩで提供され、ＳＳ  ＢＬＯＣＫのタイミング情報が上記５種類の情報のうち少なくとも２種類の情報を含む場合、ネットワークデバイスはｍｉｎｉｍａｌ  ＳＩの情報の１つに同時にその少なくとも２種類の情報を搬送してもよいし、あるいはｍｉｎｉｍａｌ  ＳＩの情報の１つに同時にその少なくとも２種類の情報を搬送しなくてもよく、本願は限定されない。
【００３７】
また、ＳＳ  ＢＬＯＣＫのタイミング情報がＰＢＣＨとｍｉｎｉｍａｌ  ＳＩでネットワークデバイスから提供され、ＳＳ  ＢＬＯＣＫのタイミング情報が上記５種類の情報のうち少なくとも２種類の情報を含む場合、ネットワークデバイスは、少なくとも２種類の情報のうち一部をｍｉｎｉｍａｌ  ＳＩに持ち、残りの一部をＰＢＣＨでブロードキャストしてもよく、本願は限定されない。
【００３８】
１つの例において、前記ＳＳ  ｂｌｏｃｋが使用する構成方は、予め約定されたものである。ＳＳ  ＢＬＯＣＫが使用する構成方式は、ネットワークデバイスとユーザーデバイスが予め約定してもよいし、プロトコルで予め約定してもよく、本願は限定されない。
【００３９】
１つの例において、前記ＳＳ  ｂｌｏｃｋが使用する構成方式は、前記ＳＳ  ｂｌｏｃｋ の所属するＳＳ  ｂｕｒｓｔ  ｓｅｔの時間領域の位置関係である。
【００４０】
具体的には、図２ｂに示すように、１つのＳＳ  ｂｕｒｓｔ  ｓｅｔ周期、例えば２０ｍｓの間に、１つのＳＳ  ｂｕｒｓｔ  ｓｅｔ周期に２つのＳＳ  ＢＬＯＣＫが含まれ、２つのＳＳ  ＢＬＯＣＫの可能な配列方式が限られている。図２(ｂ)に示すように、１つのＳＳ  ｂｕｒｓｔ  ｓｅｔ周期に２つのＳＳ  ＢＬＯＣＫが含まれ、構成方式１と構成方式２の２つの構成方式がある。構成方式１におけるＳＳ  ＢＬＯＣＫは、図２(ｂ)に示すように、所属するＳＳ  ｂｕｒｓｔ  ｓｅｔにおける時間領域上の位置関係として、ＳＳ  ＢＬＯＣＫ＃１の開始位置がＳＳ  ｂｕｒｓｔ  ｓｅｔの開始位置と重なり、ＳＳ  ＢＬＯＣＫ＃２の開始位置がＳＳ  ＢＬＯＣＫ＃１の終了位置からＸ個のＯＦＤＭ  ｓｙｍｂｏｌである。構成方式２におけるＳＳ  ＢＬＯＣＫは、所属するＳＳ  ｂｕｒｓｔ  ｓｅｔにおける時間領域での位置関係として、ＳＳ  ＢＬＯＣＫ＃１の開始位置がＳＳ  ｂｕｒｓｔ  ｓｅｔの開始位置からＹ個のＯＦＤＭ  ｓｙｍｂｏｌ、ＳＳ  ＢＬＯＣＫ＃２の開始位置がＳＳ  ＢＬＯＣＫ＃１の終了位置からＺ個のＯＦＤＭ  ｓｙｍｂｏｌである。
【００４１】
なお、上記ＳＳ  ＢＬＯＣＫの属するＳＳ  ｂｕｒｓｔ  ｓｅｔにおける時間領域での位置関係は一例であり、ＳＳ  ＢＬＯＣＫの属するＳＳ  ｂｕｒｓｔ  ｓｅｔにおける時間領域での位置関係の具体的な表現については本願が限定されるものではない。
【００４２】
例えば、ＳＳ  ｂｕｒｓｔ  ｓｅｔ周期、例えば２０ｍｓをとし、ＳＳ  ｂｕｒｓｔ  ｓｅｔ周期に含まれる２つのＳＳ  ＢＬＯＣＫが含まれ、ＳＳ  ＢＬＯＣＫの構成方式が、図２ｂに示される構成方式１であり、ＳＳ  ＢＬＯＣＫのｉｎｄｅｘがＳＳ  ＢＬＯＣＫ＃１であり、構成方式１は、予め予定されているので、ネットワークデバイスから送信された上記情報を受信したユーザーデバイスは、予め予定されているＳＳ  ＢＬＯＣＫの構成方式１に基づいて、ＳＳ  ＢＬＯＣＫ＃１の正確なタイミングを知ることができる。また、ＳＳ  ＢＬＯＣＫの構成方式１では、ＳＳ  ｂｕｒｓｔ  ｓｅｔにおけるＳＳ  ＢＬＯＣＫ＃２の時間領域位置関係が与えられているため、ユーザーデバイスは、ＳＳ  ＢＬＯＣＫ＃１の正確なタイミングが得られた後、ＳＳ  ＢＬＯＣＫ＃１の正確なタイミングに基づいて、ＳＳ  ＢＬＯＣＫ＃２の正確なタイミングを取得することができ、さらに、ユーザーデバイスのＳＳ  ＢＬＯＣＫのサーチ速度を速める。
【００４３】
１つの例において、前記ＳＳ  ｂｌｏｃｋのタイミング情報は、前記ＳＳ  ｂｌｏｃｋの所属するＳＳ  ｂｕｒｓｔ  ｓｅｔでの所在の時間領域位置を含む場合、さらに、前記ＳＳ  ｂｌｏｃｋの所在のフレーム番号、又は、前記ＳＳ  ｂｌｏｃｋの所在のシンボル（ｓｙｍｂｏｌ）の時間領域位置を含む。
【００４４】
１つの例において、前記ＳＳ  ｂｌｏｃｋの所在のｓｙｍｂｏｌ時間領域位置は、前記ＳＳ  ｂｌｏｃｋ開始位置の所在のｓｙｍｂｏｌの時間領域位置を定義するために用いられ、及び／又は前記ＳＳ  ｂｌｏｃｋ終了位置の所在のｓｙｍｂｏｌの時間領域位置を定義するために用いられる。
【００４５】
１つの例において、前記ＳＳ  ｂｌｏｃｋの所在のフレーム番号は、前記ＳＳ  ｂｌｏｃｋ開始位置の所在のフレーム番号、及び／又は、前記ＳＳ  ｂｌｏｃｋ終了位置の所在のフレーム番号を定義するために用いられる。
【００４６】
例えば、ＳＳ  ＢＬＯＣＫが使用する構成方式は、予め予定される場合、ネットワークデバイスが同期信号を構成する際に一定の制限を引き起こす可能性がある。例えば、５Ｇシステムでは、高周波数帯域で、より多くの場合は、時分割複信( Ｔｉｍｅ Ｄｉｖｉｓｉｏｎ Ｄｕｐｌｅｘｉｎｇ：ＴＤＤ )システムである可能性がある。また、ＴＤＤシステムでは、セル内の異なるサービスタイプに従って上下フレームの割合を動的に調整できるシステムが必要である。同期信号は下りフレーム上でしか送信できないため、ＳＳ  ＢＬＯＣＫが使用する配置方式が予め約束されていれば、システムのスケジューリングに制限が生じる可能性がある。
【００４７】
上記の状況を回避するために、ネットワークデバイスは、ＳＳ  ＢＬＯＣＫのＳＳ  ｂｕｒｓｔ  ｓｅｔの所在の時間領域位置を、ＰＢＣＨまたはｍｉｎｉｍａｌ  ＳＩにおいてユーザーデバイスに直接通知することができる。図２ｃに示すように、２０ｍｓの１周期を有するＳＳ  ｂｕｒｓｔ  ｓｅｔ内に２つのＳＳ  ＢＬＯＣＫがあり、各ＳＳ  ＢＬＯＣＫは時間領域で４つのＯＦＤＭ  ｓｙｍｂｏｌが持続する。ＳＳ  ＢＬＯＣＫ＃１は、ＳＳ  ｂｕｒｓｔ  ｓｅｔの開始位置から開始し、ＳＳ  ＢＬＯＣＫ＃２の開始位置は、ＳＳ  ＢＬＯＣＫ＃１の終了位置から時間領域でｔ個のＯＦＤＭ  ｓｙｍｂｏｌである。図２ｃを例とし、ｓｙｍｂｏｌの単位で、ネットワークデバイスは、ＰＢＣＨまたはｍｉｎｉｍａｌ  ＳＩにおいて、ＳＳ  ＢＬＯＣＫ＃１のＳＳ  ｂｕｒｓｔ  ｓｅｔの位置が０であることをユーザーデバイス直接通知することができ、または、ネットワークデバイスは、ＰＢＣＨまたはｍｉｎｉｍａｌ  ＳＩにおいて、ＳＳ  ＢＬＯＣＫ＃２のＳＳ  ｂｕｒｓｔ  ｓｅｔの位置がｔ＋４であることをユーザーデバイスに直接通知することができ、このように、ＳＳ  ＢＬＯＣＫ２の開始位置は、ＳＳ  ｂｕｒｓｔ  ｓｅｔの開始位置の後のｔ＋４個のＯＦＤＭ  ｓｙｍｂｏｌにあることが分かる。ユーザーデバイスは、ネットワークデバイスからのＳＳ  ＢＬＯＣＫ＃１のＳＳ  ｂｕｒｓｔ  ｓｅｔの位置が０であることを受信する時、ＳＳ  ｂｕｒｓｔ  ｓｅｔの開始位置からＳＳ  ＢＬＯＣＫ＃１が開始することを知ることができ、又は、ユーザーデバイスは、ネットワークデバイスからのＳＳ  ＢＬＯＣＫ＃１のＳＳ  ｂｕｒｓｔ  ｓｅｔの位置がｔ＋４であることを受信する特に、ＳＳ  ＢＬＯＣＫ＃２がＳＳ  ｂｕｒｓｔ  ｓｅｔの開始位置の後のｔ＋４の位置から開始することを知ることができる。
【００４８】
ここで、ＳＳ  ＢＬＯＣＫ毎に時間領域で継続するｓｙｍｂｏｌの継続時間は、上述のようにＳＳ  ＢＬＯＣＫ毎に時間領域で４つのＯＦＤＭ  ｓｙｍｂｏｌが継続し、具体的な継続時間は、プロトコルで予め予定されていてもよいし、ＳＳ  ＢＬＯＣＫのタイミング情報に含まれていてもよいし、本願は限定されない。
【００４９】
また、ユーザーデバイスは、ＳＳ  ＢＬＯＣＫが属するＳＳ  ｂｕｒｓｔ  ｓｅｔにおける時間領域位置に加えて、ＳＳ  ＢＬＯＣＫが存在するフレーム構造全体における位置も知る必要がある。したがって、ネットワークデバイスは、ＰＢＣＨまたはｍｉｎｉｍａｌ  ＳＩにおいて、所属するＳＳ  ｂｕｒｓｔ  ｓｅｔにおけるＳＳ  ＢＬＯＣＫの位置に加えて、ＳＦｉｎｄｅｘ ( ５Ｇシステムでは、１つのＳＦが１ ｍｓの時間幅として定義される)などのＳＳ  ＢＬＯＣＫが存在するフレーム番号をユーザーデバイスに通知することができる。図２ｃでは、ＳＳ  ＢＬＯＣＫ１が存在するフレーム番号はＳＦｉであり、ＳＳ  ＢＬＯＣＫ２が存在するフレーム番号はＳＦｊである。ＳＳ  ＢＬＯＣＫが存在するフレーム番号は、ＳＳ  ＢＬＯＣＫの開始位置が存在するフレーム番号として定義してもよいし、終了位置が存在するフレーム番号として定義してもよい。この定義について、あるＳＳ  ＢＬＯＣＫが前後２つのＳＦにまたがる可能性があるためである。
【００５０】
あるいは、ユーザーデバイスは、ＳＳ  ＢＬＯＣＫが属するＳＳ  ｂｕｒｓｔ  ｓｅｔにおいて存在する時間領域位置に加えて、ＳＳ  ＢＬＯＣＫが存在するｓｙｍｂｏｌ時間領域位置も知る必要がある。したがって、ネットワークデバイスは、ＰＢＣＨまたはｍｉｎｉｍａｌ  ＳＩにおいて、所属するＳＳ  ｂｕｒｓｔ  ｓｅｔにおけるＳＳ  ＢＬＯＣＫの位置に加えて、ＳＳ  ＢＬＯＣＫが存在するｓｙｍｂｏｌ時間領域位置をユーザーデバイスに通知することができ、図２ｃにおいて、ＳＳ  ＢＬＯＣＫ＃１の所在のｓｙｍｂｏｌが最初のｓｙｍｂｏｌから４番目のｓｙｍｂｏｌまで、ＳＳ  ＢＬＯＣＫ＃２の所在のｓｙｍｂｏｌ がｔ＋４番目のｓｙｍｂｏｌからｔ＋８番目のｓｙｍｂｏｌまでことをユーザーデバイス通知することができる。ＳＳ  ＢＬＯＣＫが存在するｓｙｍｂｏｌ時間領域位置は、ＳＳ  ＢＬＯＣＫ開始位置が存在するｓｙｍｂｏｌとして定義されてもよいし、終了位置が存在するｓｙｍｂｏｌとして定義されてもよい。この定義について、あるＳＳ  ＢＬＯＣＫが前後２つのＳＦにまたがる可能性があるためである。
【００５１】
また、例えば、ＳＳ  ＢＬＯＣＫの検索を高速化するために、ネットワークデバイスは、ＳＳ  ｂｌｏｃｋの所属するＳＳ  ｂｕｒｓｔ  ｓｅｔ内の時間領域位置に加えて、ＳＳ  ＢＬＯＣＫが属するＳＳ  ｂｕｒｓｔ  ｓｅｔ内の時間領域上で隣接する２つのＳＳ  ＢＬＯＣＫの距離を、指示してもよい。例えば、図２ｃのＳＳ  ＢＬＯＣＫ＃１について、時間領域上で隣接する２つのＳＳ  ＢＬＯＣＫの距離はｔであり、現在のＳＳ  ＢＬＯＣＫの終了位置からｔ個のＯＦＤＭ  ｓｙｍｂｏｌを経過してＳＳ  ＢＬＯＣＫ＃２であることを示し、したがって、ユーザーデバイスは、ＳＳ  ＢＬＯＣＫ＃１の正確なタイミングを知った後、ＳＳ  ＢＬＯＣＫ＃２の正確なタイミングを知っている。
【００５２】
また、ＳＳ  ＢＬＯＣＫ  ｉｎｄｅｘがＳＳ  ＢＬＯＣＫ＃２である場合、それはＳＳ  ＢＬＯＣＫ＃２が属するＳＳ  ｂｕｒｓｔ  ｓｅｔの最後のＳＳ  ＢＬＯＣＫであるので、この場合、現在ＳＳ  ＢＬＯＣＫが現在ＳＳ  ＢＬＯＣＫが属するＳＳ  ｂｕｒｓｔ  ｓｅｔの最後のＳＳ  ＢＬＯＣＫであることを示すために、２つの方法の指示があり、１つは、指示されないか、または０にセットされる。また、現在のＳＳ  ＢＬＯＣＫから次のＳＳ  ｂｕｒｓｔ  ｓｅｔの最初のＳＳ  ＢＬＯＣＫまでの時間領域距離(すなわち、時間領域の次のＳＳ  ＢＬＯＣＫまでの距離)を示す。図２ｃでは、ＳＳ  ＢＬＯＣＫ＃２から次のＳＳ  ｂｕｒｓｔ  ｓｅｔまでの距離は、ｑ個のｓｙｍｂｏｌであるので、時間領域で隣接する２つのＳＳ  ＢＬＯＣＫの距離は、ｑであり、したがって、ユーザーデバイスは、ＳＳ  ＢＬＯＣＫ＃２の正確なタイミングを知った後、次のＳＳ  ｂｕｒｓｔ  ｓｅｔの最初のＳＳ  ＢＬＯＣＫの正確なタイミングを知る。
【００５３】
本願では、ユーザーデバイスは、ネットワークデバイスが送信するタイミング情報に基づいてＳＳ  ＢＬＯＣＫのタイミングを設定するため、従来技術においてＳＳ  ＢＬＯＣＫのタイミングをＳＳ  ＢＬＯＣＫ  ｉｎｄｅｘのみで行うよりもＳＳ  ＢＬＯＣＫの正確なタイミングを得ることができる。
【００５４】
図２ａの実施例に対応し、図３を参照し、図３は本願の実施例におけるユーザーデバイスの構成図である。当該ユーザーデバイスは、１つ以上のプロセッサ、１つ以上のメモリ、１つ以上の送受信機及び１つ以上のプログラムを含み、ここで、前記１つ以上のプログラムが前記メモリに記憶され、前記１つ以上のプロセッサにより実行され、前記プログラムは、以下のステップを実行する命令を含む。
【００５５】
ネットワークデバイスにより送信された同期信号ブロック（ＳＳ  ｂｌｏｃｋ）のタイミング情報を受信し、
前記ＳＳ  ｂｌｏｃｋのタイミング情報に基づいてＳＳ  ｂｌｏｃｋのタイミングを確定する。
【００５６】
１つの例において、前記ＳＳ  ｂｌｏｃｋのタイミング情報は、
１）前記ＳＳ  ｂｌｏｃｋが使用する構成方式、
２）前記ＳＳ  ｂｌｏｃｋのインデックス（ｉｎｄｅｘ）、
３）前記ＳＳ  ｂｌｏｃｋの所属する同期信号伝送セット（ＳＳ  ｂｕｒｓｔ  ｓｅｔ）での所在の時間領域位置、
４）時間領域において隣接する２つのＳＳ  ｂｌｏｃｋの距離のうちの少なくとも１つを含む。
【００５７】
１つの例において、前記ＳＳ  ｂｌｏｃｋが使用する構成方は、予め約定されたものである。
【００５８】
１つの例において、前記ＳＳ  ｂｌｏｃｋが使用する構成方式は、前記ＳＳ  ｂｌｏｃｋの所属するＳＳ  ｂｕｒｓｔ  ｓｅｔの時間領域の位置関係である。
【００５９】
１つの例において、前記ＳＳ  ｂｌｏｃｋのタイミング情報は、前記ＳＳ  ｂｌｏｃｋの所属するＳＳ  ｂｕｒｓｔ  ｓｅｔでの所在の時間領域位置を含む場合、さらに、前記ＳＳ  ｂｌｏｃｋの所在のフレーム番号、又は、前記ＳＳ  ｂｌｏｃｋの所在のシンボル（ｓｙｍｂｏｌ）の時間領域位置を含む。
【００６０】
１つの例において、前記ＳＳ  ｂｌｏｃｋの所在のｓｙｍｂｏｌ時間領域位置は、前記ＳＳ  ｂｌｏｃｋ開始位置の所在のｓｙｍｂｏｌの時間領域位置、及び／又は、前記ＳＳ  ｂｌｏｃｋ終了位置の所在のｓｙｍｂｏｌの時間領域位置を定義するために用いられる。
【００６１】
１つの例において、前記ＳＳ  ｂｌｏｃｋの所在のフレーム番号は、前記ＳＳ  ｂｌｏｃｋ開始位置の所在のフレーム番号、及び／又は、前記ＳＳ  ｂｌｏｃｋ終了位置の所在のフレーム番号を定義するために用いられる。
【００６２】
１つの例において、前記ＳＳ  ｂｌｏｃｋのタイミング情報は、前記ネットワークデバイスが物理ブロードキャストチャネル（ＰＢＣＨ）及び／又は最小システム情報（ｍｉｎｉｍａｌ  ＳＩ）において提供したのもである。
【００６３】
本願では、ユーザーデバイスは、ネットワークデバイスが送信するタイミング情報に基づいてＳＳ  ＢＬＯＣＫのタイミングを設定するため、従来技術においてＳＳ  ＢＬＯＣＫのタイミングをＳＳ  ＢＬＯＣＫ  ｉｎｄｅｘのみで行うよりもＳＳ  ＢＬＯＣＫの正確なタイミングを得ることができる。
【００６４】
上記の図２ａの実施例に対応し、図４を参照し、図４は本願の実施例におけるネットワークデバイスの構成図である。当該ネットワークデバイスは、１つ以上のプロセッサ、１つ以上のメモリ、１つ以上の送受信機及び１つ以上のプログラムを含み、ここで、前記１つ以上のプログラムが前記メモリに記憶され、前記１つ以上のプロセッサにより実行され、前記プログラムは、以下のステップを実行する命令を含む。
【００６５】
ユーザーデバイスに同期信号ブロック（ＳＳ  ｂｌｏｃｋ）のタイミング情報、を送信し、前記ＳＳ  ｂｌｏｃｋのタイミング情報は、前記ユーザーデバイスがＳＳ  ｂｌｏｃｋのタイミングを確定するために用いられる。
【００６６】
１つの例において、前記ＳＳ  ｂｌｏｃｋのタイミング情報は、
１）前記ＳＳ  ｂｌｏｃｋが使用する構成方式、
２）前記ＳＳ  ｂｌｏｃｋのインデックス（ｉｎｄｅｘ）、
３）前記ＳＳ  ｂｌｏｃｋの所属する同期信号伝送セット（ＳＳ  ｂｕｒｓｔ  ｓｅｔ）での所在の時間領域位置、
４）時間領域において隣接する２つのＳＳ  ｂｌｏｃｋの距離のうちの少なくとも１つを含む。
【００６７】
１つの例において、前記ＳＳ  ｂｌｏｃｋが使用する構成方は、予め約定されたものである。
【００６８】
１つの例において、前記ＳＳ  ｂｌｏｃｋが使用する構成方式は、前記ＳＳ  ｂｌｏｃｋ の所属するＳＳ  ｂｕｒｓｔ  ｓｅｔの時間領域の位置関係である。
【００６９】
１つの例において、前記ＳＳ  ｂｌｏｃｋのタイミング情報は、前記ＳＳ  ｂｌｏｃｋの所属するＳＳ  ｂｕｒｓｔ  ｓｅｔでの所在の時間領域位置を含む場合、さらに、前記ＳＳ  ｂｌｏｃｋの所在のフレーム番号、又は、前記ＳＳ  ｂｌｏｃｋの所在のシンボル（ｓｙｍｂｏｌ）の時間領域位置を含む。
【００７０】
１つの例において、前記ＳＳ  ｂｌｏｃｋの所在のｓｙｍｂｏｌ時間領域位置は、前記ＳＳ  ｂｌｏｃｋ開始位置の所在のｓｙｍｂｏｌの時間領域位置、及び／又は、前記ＳＳ  ｂｌｏｃｋ終了位置の所在のｓｙｍｂｏｌの時間領域位置を定義するために用いられる。
【００７１】
１つの例において、前記ＳＳ  ｂｌｏｃｋの所在のフレーム番号は、前記ＳＳ  ｂｌｏｃｋ開始位置の所在のフレーム番号、及び／又は、前記ＳＳ  ｂｌｏｃｋ終了位置の所在のフレーム番号を定義するために用いられる。
【００７２】
１つの例において、前記ＳＳ  ｂｌｏｃｋのタイミング情報は、前記ネットワークデバイスが物理ブロードキャストチャネル（ＰＢＣＨ）及び／又は最小システム情報（ｍｉｎｉｍａｌ  ＳＩ）において提供したのもである。
【００７３】
本願では、ユーザーデバイスは、ネットワークデバイスが送信するタイミング情報に基づいてＳＳ  ＢＬＯＣＫのタイミングを設定するため、従来技術においてＳＳ  ＢＬＯＣＫのタイミングをＳＳ  ＢＬＯＣＫ  ｉｎｄｅｘのみで行うよりもＳＳ  ＢＬＯＣＫの正確なタイミングを得ることができる。
【００７４】
以上、主にネットワーク要素間のインタラクションという観点から本願実施例の仕組みを説明した。ユーザーデバイス及びネットワークデバイスは、上記機能を実現するために、それぞれの機能を実行するハードウェア構成及び/又はソフトウェアモジュールを含むことが理解されよう。当業者は、本明細書に開示される実施例に関連して説明される様々な例のユニットおよびアルゴリズムステップが、ハードウェアまたはハードウェアとコンピュータソフトウェアとの組合せの形態で本開示が実施され得ることを容易に認識するであろう。ある機能がハードウェアで実行されるか、コンピュータソフトウェアドライバハードウェアで実行されるかは、特許請求の範囲の特定のアプリケーション及び設計制約に依存する。当業者は、説明された機能を実施するために、特定のアプリケーションごとに異なる方法を使用することができるが、そのような実施は、本開示の範囲を超えると考えられるべきではない。
【００７５】
本発明の実施例は、上記の方法例に従って、ユーザーデバイスとネットワーク側デバイスとに機能ユニットの分割を行うことができ、例えば、各機能ユニットを各機能に応じて分割してもよいし、２つ以上の機能を１つの処理ユニットに統合してもよい。上記の統合されたユニットは、ハードウェアの形態で実現されてもよいし、ソフトウェアプログラムモジュールの形態で実現されてもよい。なお、本願実施例におけるユニットの分割は模式的なものであり、一の論理的な機能分割のみのものであり、実際の実現には別の分割形態があり得る。
【００７６】
一体型ユニット又はモジュールを用いる場合、図５は、上述の実施例に係るユーザーデバイスの１つの可能な機能ユニット構成ブロック図を示す。ユーザーデバイス５００は、処理ユニット５０１と、通信ユニット５０２とを備える。処理ユニット５０１は、ユーザーデバイスの動作を制御管理するために使用され、例えば、処理ユニット５０１は、図２のステップ２０２および/または本明細書に記載の技術のための他のプロセスを実行するユーザーデバイスをサポートするために使用される。通信ユニット５０２は、ユーザーデバイスと他の装置との通信、例えば、図４に示すネットワーク装置との通信を支援するためのものである。ユーザーデバイスは、ユーザーデバイスのプログラムコードおよびデータを記憶するための記憶ユニット５０３をさらに含むことができる。
【００７７】
ここで、処理ユニット５０１は、プロセッサ又はコントローラであってよく、例えば、中央処理装置( Ｃｅｎｔｒａｌ Ｐｒｏｃｅｓｓｉｎｇ Ｕｎｉｔ：ＣＰＵ )、汎用プロセッサ、デジタル信号プロセッサ( Ｄｉｇｉｔａｌ Ｓｉｇｎａｌ Ｐｒｏｃｅｓｓｏｒ：ＤＳＰ )、特定用途向け集積回路( Ａｐｐｌｉｃａｔｉｏｎ−Ｓｐｅｃｉｆｉｃ Ｉｎｔｅｇｒａｔｅｄ Ｃｉｒｃｕｉｔ：ＡＳＩＣ )、フィールドプログラマブルゲートアレイ( Ｆｉｅｌｄ Ｐｒｏｇｒａｍｍａｂｌｅ Ｇａｔｅ Ａｒｒａｙ：ＦＰＧＡ )、又は他のプログラマブル論理デバイス、トランジスタロジックデバイス、ハードウェアコンポーネント、又はこれらの任意の組み合わせであってよい。本開示に関連して説明された様々な例示的な論理ブロック、モジュール、および回路を実装または実行することができる。プロセッサはまた、例えば、１つ以上のマイクロプロセッサの組み合わせ、ＤＳＰとマイクロプロセッサの組み合わせなどを含む、計算機能を実装する組み合わせであってもよい。通信ユニット５０２は、送受信機、送受信回路、無線チップなどであり、記憶ユニット５０３は、メモリなどである。
【００７８】
処理ユニット５０１がプロセッサであり、通信ユニット５０２が通信インタフェースであり、記憶ユニット５０３がメモリである場合、本願の実施例に係るユーザーデバイスは、図３に示すユーザーデバイスであってもよい。
【００７９】
図６は、統合ユニットを用いた場合の、上記実施例に係るネットワークデバイスの機能的なユニット構成を示すブロック図である。ネットワーク装置６００は、処理ユニット６０１と、通信ユニット６０２とを備える。処理ユニット６０１は、ネットワークデバイスの動作を制御管理するために使用され、例えば、処理ユニット６０１は、図２のステップ２０１及び/又は本明細書に記載される技術のための他のプロセスを実行するネットワークデバイスをサポートするために使用される。通信ユニット６０２は、ネットワークデバイスと他のデバイスとの通信、例えば、図３に示すユーザーデバイスとの通信を支援するためのものである。また、ネットワークデバイスは、ネットワークデバイスのプログラムコード及びデータを記憶するための記憶ユニット６０３を含んでもよい。
【００８０】
ここで、処理ユニット６０１は、プロセッサ又はコントローラであってよく、例えば、ＣＰＵ、ＤＳＰ、ＡＳＩＣ、ＦＰＧＡ又は他のプログラマブル論理デバイス、トランジスタロジックデバイス、ハードウェアコンポーネント、又はこれらの任意の組み合わせであってよい。本開示に関連して説明された様々な例示的な論理ブロック、モジュール、および回路を実装または実行することができる。プロセッサはまた、例えば、１つ以上のマイクロプロセッサの組み合わせ、ＤＳＰとマイクロプロセッサの組み合わせなどを含む、計算機能を実装する組み合わせであってもよい。通信ユニット６０２は、送受信機、送受信回路などであり、記憶ユニット６０３は、メモリなどである。
【００８１】
処理ユニット６０１がプロセッサであり、通信ユニット６０２が通信インタフェースであり、記憶ユニット６０３がメモリである場合、本願の実施例に係るネットワーク機器は、図４に示すネットワークデバイスであってもよい。
【００８２】
本発明の実施例は、図７に示されるような別のユーザーデバイスをさらに提供し、説明を容易にするために、本発明の実施例に関連する部分のみを示し、具体的な技術の詳細は開示されていないが、本発明の実施例の方法の部分を参照されたい。このユーザーデバイスは、携帯電話、タブレット、ＰＤＡ ( Ｐｅｒｓｏｎａｌ Ｄｉｇｉｔａｌ Ａｓｓｉｓｔａｎｔ、携帯情報端末)、ＰＯＳ ( Ｐｏｉｎｔ ｏｆ Ｓａｌｅｓ、販売端末)、車載コンピュータなどを含む任意のユーザデバイスであってよく、ユーザデバイスは、例えば、携帯電話である。
【００８３】
図７は、本発明の実施例に係るユーザーデバイスに関連する携帯電話機の一部構成を示すブロック図である。図７を参照すると、携帯電話機は、無線周波数( Ｒａｄｉｏ Ｆｒｅｑｕｅｎｃｙ、ＲＦ )回路９１０、メモリ９２０、入力ユニット９３０、表示ユニット９４０、センサ９５０、オーディオ回路９６０、ＷｉＦｉモジュール９７０、プロセッサ９８０、電源９９０などを備える。図７に示される携帯電話の構造は、携帯電話を限定するものではなく、図示されるよりも多いか少ない構成要素を含んでもよく、特定の構成要素を組み合わせたり、異なる構成要素の配置を含んでもよいことが、当業者によって理解されるであろう。
【００８４】
以下、図７を参照して携帯電話機の各構成部材について具体的に説明する。
【００８５】
ＲＦ回路９１０は、情報の受信および送信に使用され得る。一般に、ＲＦ回路９１０は、アンテナ、少なくとも１つの増幅器、送受信機、結合器、低雑音増幅器( Ｌｏｗ Ｎｏｉｓｅ Ａｍｐｌｉｆｉｅｒ：ＬＮＡ )、デュプレクサなどを含むが、これらに限定されない。さらに、ＲＦ回路９１０は、無線通信を介してネットワークおよび他のデバイスと通信することもできる。上記のワイヤレス通信は、限定されないが、全地球移動通信システム( Ｇｌｏｂａｌ Ｓｙｓｔｅｍ ｏｆ Ｍｏｂｉｌｅ ｃｏｍｍｕｎｉｃａｔｉｏｎ：ＧＳＭ )、ユニバーサルパケット無線サービス( Ｇｅｎｅｒａｌ Ｐａｃｋｅｔ Ｒａｄｉｏ Ｓｅｒｖｉｃｅ：ＧＰＲＳ )、符号分割多元接続( Ｃｏｄｅ Ｄｉｖｉｓｉｏｎ Ｍｕｌｔｉｐｌｅ Ａｃｃｅｓｓ：ＣＤＭＡ )、ブロードバンド符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ：ＷＣＤＭＡ )、ロングタームエボリューション( Ｌｏｎｇ Ｔｅｒｍ Ｅｖｏｌｕｔｉｏｎ：ＬＴＥ )、電子メール、ショートメッセージサービス( Ｓｈｏｒｔ Ｍｅｓｓａｇｉｎｇ Ｓｅｒｖｉｃｅ：ＳＭＳ )などを含む、任意の通信標準またはプロトコルを使用し得る。
【００８６】
メモリ９２０は、ソフトウェアプログラム及びモジュールを格納するために使用されてもよく、プロセッサ９８０は、メモリ９２０に格納されたソフトウェアプログラム及びモジュールを実行することによって、携帯電話の様々な機能アプリケーション及びデータ処理を実行する。メモリ９２０は、オペレーティングシステム、少なくとも１つの機能に必要なアプリケーションなどを格納することができるプログラム格納領域と、データ格納領域とを主に含んでもよい。記憶データ領域には、携帯電話機の使用に応じて作成されたデータ等が記憶される。さらに、メモリ９２０は、高速ランダムアクセスメモリを含んでもよく、少なくとも１つの磁気ディスク記憶装置、フラッシュメモリデバイス、または他の揮発性固体記憶デバイスなどの不揮発性メモリを含んでもよい。
【００８７】
入力ユニット９３０は、数字又は文字情報の入力を受信し、携帯電話機の使用者の設定及び機能制御に関するキー信号入力を生成するために使用される。具体的には、入力ユニット９３０は、指紋認識モジュール９３１及び他の入力装置９３２を含む。指紋認識モジュール９３１は、ユーザが存在する指紋データを取得することができる。入力ユニット９３０は、指紋認識モジュール９３１に加えて、他の入力装置９３２を含んでもよい。具体的には、他の入力装置９３２は、タッチスクリーン、物理的なキーボード、機能キー(例えば、音量調節キー、スイッチキーなど)、トラックボール、マウス、ジョイスティックなどのうちの１つ以上を含み得るが、これらに限定されない。
【００８８】
表示ユニット９４０は、ユーザが入力した情報、またはユーザに提供された情報を表示するために使用され、携帯電話機の様々なメニューを表示するために使用される。表示ユニット９４０は、表示画面９４１を含んでもよく、任意選択的に、液晶ディスプレイ( Ｌｉｑｕｉｄ Ｃｒｙｓｔａｌ Ｄｉｓｐｌａｙ：ＬＣＤ )、有機発光ダイオード( Ｏｒｇａｎｉｃ Ｌｉｇｈｔ−Ｅｍｉｔｔｉｎｇ Ｄｉｏｄｅ：ＯＬＥＤ )などの形態で構成されてもよい。図７では、指紋認識モジュール９３１と表示画面９４１は、２つの独立した部品として携帯電話の入力及び入力機能を実現するが、いくつかの実施例において、指紋認識モジュール９３１と表示画面９４１を統合して携帯電話の入力及び再生機能を実現することができる。
【００８９】
携帯電話は、光センサ、モーションセンサ、及び他のセンサなどの少なくとも１つのセンサ９５０を更に含むことができる。具体的には、光センサは、周辺光センサ及び近接センサを含み、周辺光センサは、周辺光の明暗に応じて表示画面９４１の輝度を調節し、近接センサは、携帯電話が耳に移動したときに表示画面９４１及び/又はバックライトをオフにすることができる。モーションセンサの一種として、加速度計センサは、様々な方向(一般的には３軸)の加速度の大きさを検出し、静止時は重力の大きさ及び方向を検出し、携帯電話機の姿勢を認識するアプリケーション(例えば、縦横画面切替、関連ゲーム、磁力計の姿勢較正)、振動認識関連機能(例えば、歩数計、ストローク)等に用いることができる。携帯電話に配置可能なジャイロスコープ、気圧計、湿度計、温度計、赤外線センサ等の他のセンサについては説明を省略する。
【００９０】
オーディオ回路９６０、スピーカ９６１、マイク９６２は、ユーザと携帯電話との間のオーディオインターフェースを提供し得る。オーディオ回路９６０は、受信されたオーディオデータを変換した電気信号をスピーカ９６１に伝送し、スピーカ９６１で音声信号に変換して再生する。一方、マイク９６２は、集音した音声信号を電気信号に変換し、オーディオ回路９６０で受信して音声データに変換し、音声データ再生処理ユニット９８０で処理した後、ＲＦ回路９１０を介して他の携帯電話機等に送信したり、メモリ９２０に再生して処理する。
【００９１】
ＷｉＦｉは、近距離無線送信技術に属し、ＷｉＦｉモジュール９７０を通じて、携帯電話は、ユーザが無線ブロードバンドインターネットアクセスを提供する電子メールの送受信、ウェブページの閲覧、ストリーミングメディアへのアクセスなどを支援し得る。図７はＷｉＦｉモジュール９７０を示しているが、携帯電話の必須構成ではなく、必要に応じて発明の本質を変更しない範囲で完全に省略できることは理解される。
【００９２】
プロセッサ９８０は、携帯電話機の制御センターであり、各種のインターフェース及び回線を用いて携帯電話機全体の各部を接続し、メモリ９２０に格納されたソフトウェアプログラム及び/又はモジュールを実行又は実行し、メモリ９２０に格納されたデータを呼び出して携帯電話機の各種機能及び処理データを実行することにより、携帯電話機全体の監視を行う。任意選択で、プロセッサ９８０は、１つまたは複数の処理ユニットを備えてもよく、好ましくは、プロセッサ９８０は、オペレーティングシステム、ユーザインターフェース、およびアプリケーションなどを主に処理するアプリケーションプロセッサと、ワイヤレス通信を主に処理するモデムプロセッサとを統合することができる。プロセッサ９８０に上記モデムプロセッサが統合されなくてもよいことが理解される。
【００９３】
携帯電話は、好ましくは、電源管理システムを介してプロセッサ９８０に論理的に接続され得る様々な構成要素に電力を供給するための電池のような電源９９０をさらに含み、これにより、充電、放電、および電力消費の管理などを電源管理システムを介して管理する機能が実現される。
【００９４】
図示されていないが、携帯電話は、カメラ、ブルートゥースモジュールなどをさらに含むことができ、ここではその説明を省略する。
【００９５】
前述の図２に示される実施例において、各ステップ方法におけるユーザユーザーデバイス側のフローは、当該携帯電話機の構成に基づいて実現されてもよい。
【００９６】
前記図５に示した実施例において、各手段の機能は、この携帯電話機の構成に基づいて実現することができる。
【００９７】
本願の実施例は、コンピューター読み取り可能な記憶媒体を提供し、電子データ交換のためのコンピュータープログラムが記憶され、ここで、前記コンピュータープログラムによりコンピューターが上記の方法実施例のユーザーデバイスに記載の全部又は一部のステップを実行する。
【００９８】
本願の実施例は、コンピューター読み取り可能な記憶媒体を提供し、電子データ交換のためのコンピュータープログラムが記憶され、ここで、前記コンピュータープログラムによりコンピューターが上記の方法実施例のネットワークデバイスに記載の全部又は一部のステップを実行する。
【００９９】
本願の実施例は、上記の方法実施例のユーザーデバイスに記載の方法をコンピュータに実行させるように動作可能なコンピュータプログラムを記憶した非一時的コンピュータ可読記憶媒体を備えるコンピュータプログラム製品を提供し、前記コンピュータープログラムによりコンピューターが上記の方法実施例のユーザーデバイスに記載の全部又は一部のステップを実行する。当該コンピュータープログラム製品は、１つのソフトウェアインストールパッケージであってもよい。
【０１００】
本願の実施例は、上記の方法実施例のネットワークデバイスに記載の方法をコンピュータに実行させるように動作可能なコンピュータプログラムを記憶した非一時的コンピュータ可読記憶媒体を備えるコンピュータプログラム製品を提供し、前記コンピュータープログラムによりコンピューターが上記の方法実施例のネットワークデバイスに記載の全部又は一部のステップを実行する。当該コンピュータープログラム製品は、１つのソフトウェアインストールパッケージであってもよい。
【０１０１】
本出願の実施例に記載された方法またはアルゴリズムのステップは、ハードウェアで実現されてもよく、プロセッサがソフトウェア命令を実行する方式で実現されてもよい。ソフトウェア命令は、ランダムアクセスメモリ( Ｒａｎｄｏｍ Ａｃｃｅｓｓ Ｍｅｍｏｒｙ：ＲＡＭ )、フラッシュメモリ、リードオンリーメモリ( Ｒｅａｄ Ｏｎｌｙ Ｍｅｍｏｒｙ：ＲＯＭ )、消去可能プログラマブルリードオンリーメモリ( Ｅｒａｓａｂｌｅ Ｐｒｏｇｒａｍｍａｂｌｅ ＲＯＭ：ＥＰＲＯＭ )、電気的消去可能プログラマブルリードオンリーメモリ( Ｅｌｅｃｔｒｉｃａｌｌｙ ＥＰＲＯＭ：ＥＥＰＲＯＭ )、レジスタ、ハードディスク、モバイルハードディスク、リードオンリーディスク( ＣＤ−ＲＯＭ )、または当技術分野で周知の任意の他の形態の記憶媒体に格納され得る、対応するソフトウェアモジュールから構成され得る。例示的な記憶媒体は、プロセッサが記憶媒体から情報を読み取り、記憶媒体に情報を書き込むことを可能にするように、プロセッサに結合される。もちろん、記憶媒体はプロセッサの一部であってもよい。プロセッサおよび記憶媒体は、ＡＳＩＣ内に配置され得る。また、ＡＳＩＣは、アクセスネットワークデバイス、ターゲットネットワークデバイス、またはコアネットワークデバイス内に配置され得る。もちろん、プロセッサおよび記憶媒体は、アクセスネットワークデバイス、ターゲットネットワークデバイス、またはコアネットワークデバイス内に個別構成要素として存在してもよい。
【０１０２】
当業者は、上述の１つ以上の例において、本願の実施例に記載される機能が、ソフトウェア、ハードウェア、ファームウェア、またはそれらの任意の組合せによって、全体的にまたは部分的に実装され得ることを認識するであろう。ソフトウェアで実装する場合、全体的に又は部分的にコンピュータプログラム製品の形態で実装することができる。コンピュータプログラム製品は、１つ以上のコンピュータ命令を含む。コンピュータプログラム命令は、コンピュータ上でロードされ実行されると、本願の実施例にしたがったフローまたは機能を全体的にまたは部分的に生成する。コンピュータは、汎用コンピュータ、専用コンピュータ、コンピュータネットワーク、又は他のプログラム可能な装置であってもよい。コンピュータ命令は、コンピュータ可読記憶媒体に記憶されてもよく、または、例えば、１つのウェブサイト、コンピュータ、サーバ、またはデータセンターから、別のウェブサイト、コンピュータ、サーバ、またはデータセンターへ、有線(例えば、同軸ケーブル、光ファイバ、デジタル加入者線( Ｄｉｇｉｔａｌ Ｓｕｂｓｃｒｉｂｅｒ Ｌｉｎｅ：ＤＳＬ ) )、または無線(例えば、赤外線、無線、マイクロ波など)手段によって送信されてもよい。コンピュータ可読記憶媒体は、コンピュータによってアクセス可能な任意の利用可能な媒体、または１つ以上の利用可能な媒体と一体化されたサーバ、データセンターなどを含むデータ記憶デバイスであり得る。利用可能な媒体は、磁気媒体(例えば、フロッピーディスク、ハードディスク、磁気テープ)、光学媒体(例えば、デジタルビデオディスク( Ｄｉｇｉｔａｌ Ｖｉｄｅｏ Ｄｉｓｃ：ＤＶＤ ) )、又は半導体媒体(例えば、ソリッドステートドライブ( ＳＳＤ ) )などであってもよい。
【０１０３】
本発明の実施例の目的、技術的解決策、および効果を、上記の具体的な実施例についてさらに詳細に説明したが、上記の説明は、本発明の実施例の具体的な実施例にすぎず、本発明の実施例の保護範囲を制限するものではなく、本発明の実施例の技術的解決策に基づいて、本発明の実施例の保護範囲内に含まれるあらゆる修正、均等物、および改良がなされるべきであることが理解される。
【手続補正２】
【補正対象書類名】特許請求の範囲
【補正対象項目名】全文
【補正方法】変更
【補正の内容】
【特許請求の範囲】
【請求項１】
ユーザーデバイスがネットワークデバイスにより送信された同期信号ブロック（ＳＳ  ｂｌｏｃｋ）のタイミング情報を受信することと、
前記ユーザーデバイスが前記ＳＳ  ｂｌｏｃｋのタイミング情報に基づいてＳＳ  ｂｌｏｃｋのタイミングを確定することとを含む
ことを特徴とする同期信号ブロックのタイミング方法。
【請求項２】
前記ＳＳ  ｂｌｏｃｋのタイミング情報は、
前記ＳＳ  ｂｌｏｃｋが使用する構成方式、
前記ＳＳ  ｂｌｏｃｋのインデックス（ｉｎｄｅｘ）、
前記ＳＳ  ｂｌｏｃｋの所属する同期信号伝送セット（ＳＳ  ｂｕｒｓｔ  ｓｅｔ）での所在の時間領域位置、
時間領域において隣接する２つのＳＳ  ｂｌｏｃｋの距離のうちの少なくとも１つを含む
ことを特徴とする請求項１に記載の同期信号ブロックのタイミング方法。
【請求項３】
前記ＳＳ  ｂｌｏｃｋが使用する構成方式は、予め約定されたものであり、
前記ＳＳ  ｂｌｏｃｋが使用する構成方式は、前記ＳＳ  ｂｌｏｃｋの所属するＳＳ  ｂｕｒｓｔ  ｓｅｔの時間領域での位置関係である
ことを特徴とする請求項２に記載の同期信号ブロックのタイミング方法。
【請求項４】
前記ＳＳ  ｂｌｏｃｋのタイミング情報は、前記ＳＳ  ｂｌｏｃｋの所属するＳＳ  ｂｕｒｓｔ  ｓｅｔでの所在の時間領域位置を含む場合、さらに、前記ＳＳ  ｂｌｏｃｋの所在のフレーム番号、又は、前記ＳＳ  ｂｌｏｃｋの所在のシンボル（ｓｙｍｂｏｌ）の時間領域位置を含む
ことを特徴とする請求項２に記載の同期信号ブロックのタイミング方法。
【請求項５】
前記ＳＳ  ｂｌｏｃｋの所在のｓｙｍｂｏｌ時間領域位置は、前記ＳＳ  ｂｌｏｃｋ開始位置の所在のｓｙｍｂｏｌの時間領域位置、及び／又は、前記ＳＳ  ｂｌｏｃｋ終了位置の所在のｓｙｍｂｏｌの時間領域位置を定義するために用いられる
ことを特徴とする請求項４に記載の同期信号ブロックのタイミング方法。
【請求項６】
前記ＳＳ  ｂｌｏｃｋの所在のフレーム番号は、前記ＳＳ  ｂｌｏｃｋ開始位置の所在のフレーム番号、及び／又は、前記ＳＳ  ｂｌｏｃｋ終了位置の所在のフレーム番号を定義するために用いられる
ことを特徴とする請求項４に記載の同期信号ブロックのタイミング方法。
【請求項７】
前記ＳＳ  ｂｌｏｃｋのタイミング情報は、前記ネットワークデバイスが物理ブロードキャストチャネル（ＰＢＣＨ）及び／又は最小システム情報（ｍｉｎｉｍａｌ  ＳＩ）において提供したのもである
ことを特徴とする請求項１〜６のいずれか１項に記載の同期信号ブロックのタイミング方法。
【請求項８】
ネットワークデバイスがユーザーデバイスに同期信号ブロック（ＳＳ  ｂｌｏｃｋ）のタイミング情報を送信することを含み、前記ＳＳ  ｂｌｏｃｋのタイミング情報は、前記ユーザーデバイスがＳＳ  ｂｌｏｃｋのタイミングを確定するために用いられる
ことを特徴とする同期信号ブロックのタイミング方法。
【請求項９】
前記ＳＳ  ｂｌｏｃｋのタイミング情報は、
前記ＳＳ  ｂｌｏｃｋが使用する構成方式、
前記ＳＳ  ｂｌｏｃｋのインデックス（ｉｎｄｅｘ）、
前記ＳＳ  ｂｌｏｃｋの所属する同期信号伝送セット（ＳＳ  ｂｕｒｓｔ  ｓｅｔ）での所在の時間領域位置、
時間領域において隣接する２つのＳＳ  ｂｌｏｃｋの距離のうちの少なくとも１つを含む
ことを特徴とする請求項８に記載の同期信号ブロックのタイミング方法。
【請求項１０】
前記ＳＳ  ｂｌｏｃｋが使用する構成方は、予め約定されたものであり、
前記ＳＳ  ｂｌｏｃｋが使用する構成方式は、前記ＳＳ  ｂｌｏｃｋの所属するＳＳ  ｂｕｒｓｔ  ｓｅｔの時間領域での位置関係である
ことを特徴とする請求項９に記載の同期信号ブロックのタイミング方法。
【請求項１１】
前記ＳＳ  ｂｌｏｃｋのタイミング情報は、前記ＳＳ  ｂｌｏｃｋの所属するＳＳ  ｂｕｒｓｔ  ｓｅｔでの所在の時間領域位置を含む場合、さらに、前記ＳＳ  ｂｌｏｃｋの所在のフレーム番号、又は、前記ＳＳ  ｂｌｏｃｋの所在のシンボル（ｓｙｍｂｏｌ）の時間領域位置を含む
ことを特徴とする請求項９に記載の同期信号ブロックのタイミング方法。
【請求項１２】
前記ＳＳ  ｂｌｏｃｋの所在のｓｙｍｂｏｌ時間領域位置は、前記ＳＳ  ｂｌｏｃｋ開始位置の所在のｓｙｍｂｏｌの時間領域位置、及び／又は、前記ＳＳ  ｂｌｏｃｋ終了位置の所在のｓｙｍｂｏｌの時間領域位置を定義するために用いられる
ことを特徴とする請求項１１に記載の同期信号ブロックのタイミング方法。
【請求項１３】
前記ＳＳ  ｂｌｏｃｋの所在のフレーム番号は、前記ＳＳ  ｂｌｏｃｋ開始位置の所在のフレーム番号、及び／又は、前記ＳＳ  ｂｌｏｃｋ終了位置の所在のフレーム番号を定義するために用いられる
ことを特徴とする請求項１１に記載の同期信号ブロックのタイミング方法。
【請求項１４】
前記ＳＳ  ｂｌｏｃｋのタイミング情報は、前記ネットワークデバイスが物理ブロードキャストチャネル（ＰＢＣＨ）及び／又は最小システム情報（ｍｉｎｉｍａｌ  ＳＩ）において提供したのもである
ことを特徴とする請求項８〜１３のいずれか１項に記載の同期信号ブロックのタイミング方法。
【請求項１５】
処理ユニット及び通信ユニットを含み、
前記処理ユニットは、前記通信ユニットを利用してネットワークデバイスにより送信された同期信号ブロック（ＳＳ  ｂｌｏｃｋ）のタイミング情報を受信するように構成され、
前記処理ユニットは、さらに、前記ＳＳ  ｂｌｏｃｋのタイミング情報に基づいてＳＳ  ｂｌｏｃｋのタイミングを確定するように構成される
ことを特徴とするユーザーデバイス。
【請求項１６】
処理ユニット及び通信ユニットを含み、
前記処理ユニットは、前記通信ユニットを利用してユーザーデバイスに同期信号ブロック（ＳＳ  ｂｌｏｃｋ）のタイミング情報を送信するように構成され、
前記ＳＳ  ｂｌｏｃｋのタイミング情報は、前記ユーザーデバイスがＳＳ  ｂｌｏｃｋのタイミングを確定するために用いられる
ことを特徴とするネットワークデバイス。
【請求項１７】
電子データ交換のためのコンピュータープログラムが記憶されるコンピューター読み取り可能な記憶媒体であって、
前記コンピュータープログラムによりコンピューターが請求項１〜７のいずれか１項に記載の方法を実行する
ことを特徴とするコンピューター読み取り可能な記憶媒体。
【請求項１８】
電子データ交換のためのコンピュータープログラムが記憶されるコンピューター読み取り可能な記憶媒体であって、
前記コンピュータープログラムによりコンピューターが請求項８〜１４のいずれか１項に記載の方法を実行する
ことを特徴とするコンピューター読み取り可能な記憶媒体。
【手続補正３】
【補正対象書類名】図面
【補正対象項目名】全図
【補正方法】変更
【補正の内容】
【図１】
2020519189.tif 000012
【図２ａ】
2020519189.tif 000013
【図２ｂ】
2020519189.tif 000014
【図２ｃ】
2020519189.tif 000015
【図３】
2020519189.tif 000016
【図４】
2020519189.tif 000017
【図５】
2020519189.tif 000018
【図６】
2020519189.tif 000019
【図７】
2020519189.tif 000020
【国際調査報告】
2020519189.tif 000021
2020519189.tif 000022
2020519189.tif 000023
2020519189.tif 000024
2020519189.tif 000025
2020519189.tif 000026